(57)【要約】  本願の実施例はランダムアクセスプリアンブルの伝送方法及び端末装置に関する。該方法は、該ランダムアクセスプリアンブルのｉ回目の伝送を実行し、ｉが１より大きな正の整数であることと、該ランダムアクセスプリアンブルのｉ回目の伝送とｉ−１回目の伝送が同じビームを用いる場合、該ランダムアクセスプリアンブルの電力ランピングカウンタの値に１を加えることと、を含む。本願の実施例のランダムアクセスプリアンブルの伝送方法及び端末装置によれば、端末装置は伝送ビームが変化するかどうかによって、ランダムアクセスプリアンブルの電力ランピングカウンタを決定することができる。
2021514557.tif 000002
【特許請求の範囲】
【請求項１】
ランダムアクセスプリアンブルの伝送方法であって、
前記ランダムアクセスプリアンブルのｉ回目の伝送を実行し、ｉが１より大きな正の整数であることと、
前記ランダムアクセスプリアンブルのｉ回目の伝送とｉ−１回目の伝送が同じビームを用いる場合、前記ランダムアクセスプリアンブルの電力ランピングカウンタの値に１を加えることと、を含むことを特徴とするランダムアクセスプリアンブルの伝送方法。
【請求項２】
前記ランダムアクセスプリアンブルの電力ランピングカウンタの値に１を加える前に、前記方法は更に、
前記電力ランピングカウンタを一時停止する必要がないことを決定することを含むことを特徴とする請求項１に記載の方法。
【請求項３】
前記ランダムアクセスプリアンブルのｉ回目の伝送とｉ−１回目の伝送が同じ同期信号ブロックを用いる場合、前記ランダムアクセスプリアンブルのｉ回目の伝送とｉ−１回目の伝送との用いるビームが同じであることを決定することを更に含むことを特徴とする請求項１又は２に記載の方法。
【請求項４】
前記ランダムアクセスプリアンブルのｉ回目の伝送を実行する前に、前記方法は更に、
少なくとも１つのプリセットの時間周波数リソースから第１プリセットの時間周波数リソースを決定し、前記第１プリセットの時間周波数リソースが前記ランダムアクセスプリアンブルのｉ回目の伝送に使用されることを含むことを特徴とする請求項１〜３のいずれか１項に記載の方法。
【請求項５】
少なくとも１つのプリセットの時間周波数リソースから第１プリセットの時間周波数リソースを決定することは、
前記少なくとも１つのプリセットの時間周波数リソースのうちの第２プリセットの時間周波数リソースが占有されたかどうかを決定することと、
前記第２プリセットの時間周波数リソースが占有されていない場合、前記第２プリセットの時間周波数リソースを前記第１プリセットの時間周波数リソースとして決定し、又は、
前記第２プリセットの時間周波数リソースが占有された場合、前記少なくとも１つのプリセットの時間周波数リソースのうちの前記第２プリセットの時間周波数リソース以外の他のプリセットの時間周波数リソースが占有されたかどうかを決定することと、を含むことを特徴とする請求項４に記載の方法。
【請求項６】
前記少なくとも１つのプリセットの時間周波数リソースのうちの第２プリセットの時間周波数リソースが占有されたかどうかを決定することは、
前記第２プリセットの時間周波数リソースにベアリングされる信号のエネルギー値を決定することと、
前記信号のエネルギー値がプリセットのエネルギー値以下である場合、前記第２プリセットの時間周波数リソースが占有されていないことを決定し、又は、
前記信号のエネルギー値がプリセットのエネルギー値より大きい場合、前記第２プリセットの時間周波数リソースが占有されていないことを決定することと、を含むことを特徴とする請求項４又は５に記載の方法。
【請求項７】
前記ランダムアクセスプリアンブルのｉ回目の伝送後の前記電力ランピングカウンタの値は、前記ランダムアクセスプリアンブルのｉ＋１回目の送信電力を決定することに用いられることを特徴とする請求項１〜６のいずれか１項に記載の方法。
【請求項８】
前記ランダムアクセスプリアンブルのｉ回目の伝送を実行した後、前記方法は更に、
前記ランダムアクセスプリアンブルのｉ回目の伝送に失敗したことを決定する場合、前記ランダムアクセスプリアンブルの伝送回数カウンタの値に１を加え、前記伝送回数カウンタは前記ランダムアクセスプリアンブルの伝送回数を記録することに用いられることを含むことを特徴とする請求項１〜７のいずれか１項に記載の方法。
【請求項９】
前記ランダムアクセスプリアンブルの伝送回数カウンタの値に１を加えた後、前記方法は更に、
前記伝送回数カウンタの値が前記ランダムアクセスプリアンブルの伝送回数最大値以下である場合、前記ランダムアクセスプリアンブルのｉ＋１回目の伝送を実行すること、又は
前記伝送回数カウンタの値が前記伝送回数最大値より大きい場合、ランダムアクセス過程に失敗したことを決定することを含むことを特徴とする請求項８に記載の方法。
【請求項１０】
前記ランダムアクセス過程に失敗したことを決定した後、前記方法は更に、
前記ランダムアクセスプリアンブルの受信セルがプライマリセルであることを決定することと、
前記プライマリセルに対応するネットワーク装置に無線リソース制御（ＲＲＣ）シグナリングを送信し、前記ＲＲＣシグナリングは無線リンク障害を示すことに用いられることと、を含むことを特徴とする請求項９に記載の方法。
【請求項１１】
前記ランダムアクセスプリアンブルを伝送するための伝送リソースがライセンス周波数帯又はアンライセンス周波数帯に属することを決定することと、
前記伝送リソースがライセンス周波数帯に属する場合、前記ランダムアクセスプリアンブルの伝送回数最大値を第１値として設定し、又は、
前記伝送リソースがアンライセンス周波数帯に属する場合、前記伝送回数最大値を第２値として設定し、前記第１値と前記第２値が異なることと、を更に含むことを特徴とする請求項８〜１０のいずれか１項に記載の方法。
【請求項１２】
前記第１値が前記第２値より小さいことを特徴とする請求項１１に記載の方法。
【請求項１３】
ネットワーク装置から送信された、前記第１値及び／又は第２値を含む構成情報を受信することを更に含むことを特徴とする請求項１１又は１２に記載の方法。
【請求項１４】
ランダムアクセスプリアンブルの伝送方法であって、
ランダムアクセスプリアンブルを伝送するための伝送リソースがライセンス周波数帯又はアンライセンス周波数帯に属することを決定することと、
前記伝送リソースがライセンス周波数帯に属する場合、前記ランダムアクセスプリアンブルの伝送回数最大値を第１値として設定し、又は、
前記伝送リソースがアンライセンス周波数帯に属する場合、前記伝送回数最大値を第２値として設定し、前記第１値と前記第２値が異なることと、を含むことを特徴とするランダムアクセスプリアンブルの伝送方法。
【請求項１５】
前記第１値が前記第２値より小さいことを特徴とする請求項１４に記載の方法。
【請求項１６】
ネットワーク装置から送信された、前記第１値及び／又は第２値を含む構成情報を受信することを更に含むことを特徴とする請求項１４又は１５に記載の方法。
【請求項１７】
前記ランダムアクセスプリアンブルのｉ回目の伝送に失敗した場合、前記ランダムアクセスプリアンブルの伝送回数カウンタの値に１を加え、前記伝送回数カウンタは前記ランダムアクセスプリアンブルの伝送回数を記録することに用いられ、ｉが正の整数であることを更に含むことを特徴とする請求項１４〜１６のいずれか１項に記載の方法。
【請求項１８】
前記ランダムアクセスプリアンブルの伝送回数カウンタの値に１を加えた後、前記方法は更に、
前記伝送回数カウンタの値が前記伝送回数最大値以下である場合、前記ランダムアクセスプリアンブルのｉ＋１回目の伝送を実行すること、又は
前記伝送回数カウンタの値が前記伝送回数最大値より大きい場合、ランダムアクセス過程に失敗したことを決定することを含むことを特徴とする請求項１７に記載の方法。
【請求項１９】
前記ランダムアクセス過程に失敗したことを決定した後、前記方法は更に、
前記ランダムアクセスプリアンブルの受信セルがプライマリセルであることを決定することと、
前記プライマリセルに対応するネットワーク装置に無線リソース制御（ＲＲＣ）シグナリングを送信し、前記ＲＲＣシグナリングは無線リンク障害を示すことに用いられることと、を含むことを特徴とする請求項１８に記載の方法。
【請求項２０】
前記伝送リソースのうちの第１リソースが占有されたかどうかを決定することと、
前記第１リソースが占有された場合、前記伝送リソースのうちの前記第１リソース以外の他のリソースが占有されたかどうかを決定し、又は、
前記第１リソースが占有されていない場合、前記第１リソースを用いて前記ランダムアクセスプリアンブルのｉ回目の伝送を実行することと、を更に含むことを特徴とする請求項１７に記載の方法。
【請求項２１】
前記第１リソースが占有された場合、前記伝送リソースのうちの前記第１リソース以外の他のリソースが占有されたかどうかを決定した後、前記方法は更に、
前記伝送リソースに未占有のリソースがない場合、前記ランダムアクセスプリアンブルのｉ回目の伝送に失敗したことを決定することを含むことを特徴とする請求項２０に記載の方法。
【請求項２２】
端末装置であって、
前記ランダムアクセスプリアンブルのｉ回目の伝送を実行することに用いられ、ｉが１より大きな正の整数である送受信ユニットと、
前記ランダムアクセスプリアンブルのｉ回目の伝送とｉ−１回目の伝送が同じビームを用いる場合、前記ランダムアクセスプリアンブルの電力ランピングカウンタの値に１を加えることに用いられる処理ユニットと、を備えることを特徴とする端末装置。
【請求項２３】
前記処理ユニットが前記ランダムアクセスプリアンブルの電力ランピングカウンタの値に１を加える前に、前記電力ランピングカウンタを一時停止する必要がないことを決定することに用いられる決定ユニットを更に備えることを特徴とする請求項２２に記載の端末装置。
【請求項２４】
前記ランダムアクセスプリアンブルのｉ回目の伝送とｉ−１回目の伝送が同じ同期信号ブロックを用いる場合、前記ランダムアクセスプリアンブルのｉ回目の伝送とｉ−１回目の伝送との用いるビームが同じであることを決定することに用いられる決定ユニットを更に備えることを特徴とする請求項２２又は２３に記載の端末装置。
【請求項２５】
前記送受信ユニットが前記ランダムアクセスプリアンブルのｉ回目の伝送を実行する前に、少なくとも１つのプリセットの時間周波数リソースから第１プリセットの時間周波数リソースを決定することに用いられ、前記第１プリセットの時間周波数リソースは前記ランダムアクセスプリアンブルのｉ回目の伝送に用いられる決定ユニットを更に備えることを特徴とする請求項２２〜２４のいずれか１項に記載の端末装置。
【請求項２６】
前記決定ユニットは具体的に、
前記少なくとも１つのプリセットの時間周波数リソースのうちの第２プリセットの時間周波数リソースが占有されたかどうかを決定することと、
前記第２プリセットの時間周波数リソースが占有されていない場合、前記第２プリセットの時間周波数リソースを前記第１プリセットの時間周波数リソースとして決定し、又は、
前記第２プリセットの時間周波数リソースが占有された場合、前記少なくとも１つのプリセットの時間周波数リソースのうちの前記第２プリセットの時間周波数リソース以外の他のプリセットの時間周波数リソースが占有されたかどうかを決定することと、に用いられることを特徴とする請求項２５に記載の端末装置。
【請求項２７】
前記決定ユニットは具体的に、
前記第２プリセットの時間周波数リソースにベアリングされる信号のエネルギー値を決定することと、
前記信号のエネルギー値がプリセットのエネルギー値以下である場合、前記第２プリセットの時間周波数リソースが占有されていないことを決定し、又は、
前記信号のエネルギー値がプリセットのエネルギー値より大きい場合、前記第２プリセットの時間周波数リソースが占有されていないことを決定することと、に用いられることを特徴とする請求項２５又は２６に記載の端末装置。
【請求項２８】
前記ランダムアクセスプリアンブルのｉ回目の伝送後の前記電力ランピングカウンタの値は、前記ランダムアクセスプリアンブルのｉ＋１回目の送信電力を決定することに用いられることを特徴とする請求項２２〜２７のいずれか１項に記載の端末装置。
【請求項２９】
前記処理ユニットは具体的に、
前記送受信ユニットが前記ランダムアクセスプリアンブルのｉ回目の伝送を実行した後、前記ランダムアクセスプリアンブルのｉ回目の伝送に失敗したことを決定する場合、前記ランダムアクセスプリアンブルの伝送回数カウンタの値に１を加えることに用いられ、前記伝送回数カウンタは前記ランダムアクセスプリアンブルの伝送回数を記録することに用いられることを特徴とする請求項２２〜２８のいずれか１項に記載の端末装置。
【請求項３０】
前記送受信ユニットは具体的に、
前記処理ユニットが前記ランダムアクセスプリアンブルの伝送回数カウンタの値に１を加えた後、前記伝送回数カウンタの値が前記ランダムアクセスプリアンブルの伝送回数最大値以下である場合、前記ランダムアクセスプリアンブルのｉ＋１回目の伝送を実行すること、又は、
前記伝送回数カウンタの値が前記伝送回数最大値より大きい場合、ランダムアクセス過程に失敗したことを決定することに用いられることを特徴とする請求項２９に記載の端末装置。
【請求項３１】
前記端末装置は更に、
前記決定ユニットがランダムアクセス過程に失敗したことを決定した後、前記ランダムアクセスプリアンブルの受信セルがプライマリセルであることを決定することに用いられる決定ユニットを備え、
前記送受信ユニットは具体的に、
前記プライマリセルに対応するネットワーク装置に無線リソース制御（ＲＲＣ）シグナリングを送信することに用いられ、前記ＲＲＣシグナリングは無線リンク障害を示すことに用いられることを特徴とする請求項３０に記載の端末装置。
【請求項３２】
前記端末装置は更に、
前記ランダムアクセスプリアンブルを伝送するための伝送リソースがライセンス周波数帯又はアンライセンス周波数帯に属することを決定することに用いられる決定ユニットを備え、
前記処理ユニットは具体的に、
前記伝送リソースがライセンス周波数帯に属する場合、前記ランダムアクセスプリアンブルの伝送回数最大値を第１値として設定すること、又は
前記伝送リソースがアンライセンス周波数帯に属する場合、前記伝送回数最大値を第２値として設定し、前記第１値と前記第２値が異なることに用いられることを特徴とする請求項２９〜３１のいずれか１項に記載の端末装置。
【請求項３３】
前記第１値が前記第２値より小さいことを特徴とする請求項３２に記載の端末装置。
【請求項３４】
前記送受信ユニットは具体的に、
ネットワーク装置から送信された、前記第１値及び／又は第２値を含む構成情報を受信することに用いられることを特徴とする請求項３２又は３３に記載の端末装置。
【請求項３５】
端末装置であって、
ランダムアクセスプリアンブルを伝送するための伝送リソースがライセンス周波数帯又はアンライセンス周波数帯に属することを決定することに用いられる決定ユニットと、
前記伝送リソースがライセンス周波数帯に属する場合、前記ランダムアクセスプリアンブルの伝送回数最大値を第１値として設定すること、又は、
前記伝送リソースがアンライセンス周波数帯に属する場合、前記伝送回数最大値を第２値として設定し、前記第１値と前記第２値が異なることに用いられる処理ユニットと、を備えることを特徴とする端末装置。
【請求項３６】
前記第１値が前記第２値より小さいことを特徴とする請求項３５に記載の端末装置。
【請求項３７】
ネットワーク装置から送信された、前記第１値及び／又は第２値を含む構成情報を受信することに用いられる送受信ユニットを更に備えることを特徴とする請求項３５又は３６に記載の端末装置。
【請求項３８】
前記処理ユニットは具体的に、
前記ランダムアクセスプリアンブルのｉ回目の伝送に失敗した場合、前記ランダムアクセスプリアンブルの伝送回数カウンタの値に１を加えることに用いられ、前記伝送回数カウンタは前記ランダムアクセスプリアンブルの伝送回数を記録することに用いられ、ｉが正の整数であることを特徴とする請求項３５〜３７のいずれか１項に記載の端末装置。
【請求項３９】
前記処理ユニットは具体的に、
前記ランダムアクセスプリアンブルの伝送回数カウンタの値に１を加えた後、前記伝送回数カウンタの値が前記伝送回数最大値以下である場合、前記ランダムアクセスプリアンブルのｉ＋１回目の伝送を実行すること、又は、
前記伝送回数カウンタの値が前記伝送回数最大値より大きい場合、ランダムアクセス過程に失敗したことを決定することに用いられることを特徴とする請求項３８に記載の端末装置。
【請求項４０】
前記決定ユニットは具体的に、
前記ランダムアクセス過程に失敗したことを決定した後、前記ランダムアクセスプリアンブルの受信セルがプライマリセルであることを決定することに用いられ、
前記端末装置は更に、
前記プライマリセルに対応するネットワーク装置に無線リソース制御（ＲＲＣ）シグナリングを送信することに用いられ、前記ＲＲＣシグナリングは無線リンク障害を示すことに用いられる送受信ユニットを備えることを特徴とする請求項３９に記載の端末装置。
【請求項４１】
前記決定ユニットは具体的に、
前記伝送リソースのうちの第１リソースが占有されたかどうかを決定することと、
前記第１リソースが占有された場合、前記伝送リソースのうちの前記第１リソース以外の他のリソースが占有されたかどうかを決定し、又は、
前記第１リソースが占有されていない場合、前記第１リソースを用いて前記ランダムアクセスプリアンブルのｉ回目の伝送を実行することと、に用いられることを特徴とする請求項３８に記載の端末装置。
【請求項４２】
前記決定ユニットは具体的に、
前記第１リソースが占有された場合、前記伝送リソースのうちの前記第１リソース以外の他のリソースが占有されたかどうかを決定した後、前記伝送リソースに未占有のリソースがない場合、前記ランダムアクセスプリアンブルのｉ回目の伝送に失敗したことを決定することに用いられることを特徴とする請求項４１に記載の端末装置。
【発明の詳細な説明】
【技術分野】
【０００１】
本願は通信分野に関し、特にランダムアクセスプリアンブルの伝送方法及び端末装置に関する。
【背景技術】
【０００２】
ロングタームエボリューション（ＬＴＥ、ｌｏｎｇ  ｔｅｒｍ  ｅｖｏｌｕｔｉｏｎ）システムのランダムアクセス過程において、端末装置における媒体アクセス制御（ｍｅｄｉａ  ａｃｃｅｓｓ  ｃｏｎｔｒｏｌ、ＭＡＣ）エンティティ（ｅｎｔｉｔｙ）は、１つのランダムアクセスプリアンブル伝送回数タイマー（ＰＲＥＡＭＢＬＥ＿ＴＲＡＮＳＭＩＳＳＩＯＮ＿ＣＯＵＮＴＥＲ）しか維持しなく、該タイマーは電力ランピング（ｐｏｗｅｒ  ｒａｍｐｉｎｇ）のカウントに使用されるだけでなく、プリアンブル伝送回数を統計することにも用いられ、それにより、ランダムアクセスチャネル（ＲＡＣＨ、ｒａｎｄｏｍ  ａｃｃｅｓｓ  ｃｈａｎｎｅｌ）の最大伝送回数を制限する。
【０００３】
ＲＡＣＨ過程を開始するとき、ＰＲＥＡＭＢＬＥ＿ＴＲＡＮＳＭＩＳＳＩＯＮ＿ＣＯＵＮＴＥＲの初期値を１として設定する。Ｍｓｇ１の伝送を完了した後、端末がランダムアクセス応答（ＲＡＲ、ｒａｎｄｏｍ  ａｃｃｅｓｓ  ｒｅｓｐｏｎｓｅ）の受信に失敗し又は競争に失敗した場合、ＰＲＥＡＭＢＬＥ＿ＴＲＡＮＳＭＩＳＳＩＯＮ＿ＣＯＵＮＴＥＲが最大値に達するまで、該ＰＲＥＡＭＢＬＥ＿ＴＲＡＮＳＭＩＳＳＩＯＮ＿ＣＯＵＮＴＥＲに１を加える。また、ＰＲＥＡＭＢＬＥ＿ＴＲＡＮＳＭＩＳＳＩＯＮ＿ＣＯＵＮＴＥＲは、ＲＡＣＨを改めて開始する度に、Ｍｓｇ１の送信電力も決定する。
【０００４】
ところが、新無線（ＮＲ、ｎｅｗ  ｒａｄｉｏ）システムにおいて、ビームフォーミング（ｂｅａｍ  ｆｏｒｍｉｎｇ）をサポートするために、ＰＲＥＡＭＢＬＥ＿ＴＲＡＮＳＭＩＳＳＩＯＮ＿ＣＯＵＮＴＥＲ、ｐｏｗｅｒ  ｒａｍｐｉｎｇを計算するために設定した電力ランピングカウンタ（ＰＲＥＡＭＢＬＥ＿ＰＯＷＥＲ＿ＲＡＭＰＩＮＧ＿ＣＯＵＮＴＥＲ）という２つのカウンタを導入した。そして、どのようにこの２つのカウンタを維持するかは解決すべき問題である。
【発明の概要】
【発明が解決しようとする課題】
【０００５】
本願はランダムアクセスプリアンブルの伝送方法及び端末装置を提供し、それにより、端末装置は伝送ビームが変化するかどうかによって、ランダムアクセスプリアンブルの電力ランピングカウンタを決定し、ランダムアクセスプリアンブルを伝送する伝送リソースがアンライセンス周波数帯に属するかどうかによって、装置に対応するランダムアクセスプリアンブルの伝送回数最大値を決定することができる。
【課題を解決するための手段】
【０００６】
第１態様ではランダムアクセスプリアンブルの伝送方法を提供し、該方法は、前記ランダムアクセスプリアンブルのｉ回目の伝送を実行し、ｉが１より大きな正の整数であることと、前記ランダムアクセスプリアンブルのｉ回目の伝送とｉ−１回目の伝送が同じビームを用いる場合、前記ランダムアクセスプリアンブルの電力ランピングカウンタの値に１を加えることと、を含む。
【０００７】
従って、本願の実施例のランダムアクセスプリアンブルの伝送方法によれば、端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するランダムアクセスプリアンブル（以下、プリアンブル「ｐｒｅａｍｂｌｅ」と略称される）の非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【０００８】
第１態様を参照して、第１態様の一実現方式では、前記ランダムアクセスプリアンブルの電力ランピングカウンタの値に１を加える前に、前記方法は更に、前記電力ランピングカウンタを一時停止する必要がないことを決定することを含む。
【０００９】
第１態様及びその上記実現方式を参照して、第１態様の他の実現方式では、前記方法は更に、前記ランダムアクセスプリアンブルのｉ回目の伝送とｉ−１回目の伝送が同じ同期信号ブロックを用いる場合、前記ランダムアクセスプリアンブルのｉ回目の伝送とｉ−１回目の伝送との用いるビームが同じであることを決定することを含む。
【００１０】
第１態様及びその上記実現方式を参照して、第１態様の他の実現方式では、前記ランダムアクセスプリアンブルのｉ回目の伝送を実行する前に、前記方法は更に、少なくとも１つのプリセットの時間周波数リソースから第１プリセットの時間周波数リソースを決定し、前記第１プリセットの時間周波数リソースは前記ランダムアクセスプリアンブルのｉ回目の伝送に使用されることを含む。
【００１１】
第１態様及びその上記実現方式を参照して、第１態様の他の実現方式では、少なくとも１つのプリセットの時間周波数リソースから第１プリセットの時間周波数リソースを決定することは、前記少なくとも１つのプリセットの時間周波数リソースのうちの第２プリセットの時間周波数リソースが占有されたかどうかを決定することと、前記第２プリセットの時間周波数リソースが占有されていない場合、前記第２プリセットの時間周波数リソースを前記第１プリセットの時間周波数リソースとして決定し、又は、前記第２プリセットの時間周波数リソースが占有された場合、前記少なくとも１つのプリセットの時間周波数リソースのうちの前記第２プリセットの時間周波数リソース以外の他のプリセットの時間周波数リソースが占有されたかどうかを決定することと、を含む。
【００１２】
第１態様及びその上記実現方式を参照して、第１態様の他の実現方式では、前記少なくとも１つのプリセットの時間周波数リソースのうちの第２プリセットの時間周波数リソースが占有されたかどうかを決定することは、前記第２プリセットの時間周波数リソースにベアリングされる信号のエネルギー値を決定することと、前記信号のエネルギー値がプリセットのエネルギー値以下である場合、前記第２プリセットの時間周波数リソースが占有されていないことを決定し、又は、前記信号のエネルギー値がプリセットのエネルギー値より大きい場合、前記第２プリセットの時間周波数リソースが占有されていないことを決定することと、を含む。
【００１３】
第１態様及びその上記実現方式を参照して、第１態様の他の実現方式では、前記ランダムアクセスプリアンブルのｉ回目の伝送後の前記電力ランピングカウンタの値は、前記ランダムアクセスプリアンブルのｉ＋１回目の送信電力を決定することに用いられる。
【００１４】
第１態様及びその上記実現方式を参照して、第１態様の他の実現方式では、前記ランダムアクセスプリアンブルのｉ回目の伝送を実行した後、前記方法は更に、前記ランダムアクセスプリアンブルのｉ回目の伝送に失敗したことを決定する場合、前記ランダムアクセスプリアンブルの伝送回数カウンタの値に１を加え、前記伝送回数カウンタが前記ランダムアクセスプリアンブルの伝送回数を記録することに用いられることを含む。
【００１５】
第１態様及びその上記実現方式を参照して、第１態様の他の実現方式では、前記ランダムアクセスプリアンブルの伝送回数カウンタの値に１を加えた後、前記方法は更に、前記伝送回数カウンタの値が前記ランダムアクセスプリアンブルの伝送回数最大値以下である場合、前記ランダムアクセスプリアンブルのｉ＋１回目の伝送を実行すること、又は、前記伝送回数カウンタの値が前記伝送回数最大値より大きい場合、ランダムアクセス過程に失敗したことを決定することを含む。
【００１６】
第１態様及びその上記実現方式を参照して、第１態様の他の実現方式では、ランダムアクセス過程に失敗したことを決定した後、前記方法は更に、前記ランダムアクセスプリアンブルの受信セルがプライマリセルであることを決定することと、前記プライマリセルに対応するネットワーク装置に無線リソース制御（ｒａｄｉｏ  ｒｅｓｏｕｒｃｅ  ｃｏｎｔｒｏｌ、ＲＲＣ）シグナリングを送信し、前記ＲＲＣシグナリングは無線リンク障害を示すことに用いられることと、を含む。
【００１７】
第１態様及びその上記実現方式を参照して、第１態様の他の実現方式では、前記方法は更に、前記ランダムアクセスプリアンブルを伝送するための伝送リソースがライセンス周波数帯又はアンライセンス周波数帯に属することを決定することと、前記伝送リソースがライセンス周波数帯に属する場合、前記ランダムアクセスプリアンブルの伝送回数最大値を第１値として設定し、又は、前記伝送リソースがアンライセンス周波数帯に属する場合、前記伝送回数最大値を第２値として設定し、前記第１値と前記第２値が異なることと、を含む。
【００１８】
第１態様及びその上記実現方式を参照して、第１態様の他の実現方式では、前記第１値が前記第２値より小さい。
【００１９】
第１態様及びその上記実現方式を参照して、第１態様の他の実現方式では、前記方法は更に、ネットワーク装置から送信された、前記第１値及び／又は第２値を含む構成情報を受信することを含む。
【００２０】
従って、本願の実施例のランダムアクセスプリアンブルの伝送方法によれば、端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【００２１】
第２態様ではランダムアクセスプリアンブルの伝送方法を提供し、該方法は、ランダムアクセスプリアンブルを伝送するための伝送リソースがライセンス周波数帯又はアンライセンス周波数帯に属することを決定することと、前記伝送リソースがライセンス周波数帯に属する場合、前記ランダムアクセスプリアンブルの伝送回数最大値を第１値として設定し、又は、前記伝送リソースがアンライセンス周波数帯に属する場合、前記伝送回数最大値を第２値として設定し、前記第１値と前記第２値が異なることと、を含む。
【００２２】
従って、本願の実施例のランダムアクセスプリアンブルの伝送方法によれば、端末装置はｐｒｅａｍｂｌｅを伝送するリソースがアンライセンス周波数帯に属するかどうかによって、ｐｒｅａｍｂｌｅの伝送回数最大値を設定でき、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【００２３】
第２態様を参照して、第２態様の一実現方式では、前記第１値が前記第２値より小さい。
【００２４】
第２態様及びその上記実現方式を参照して、第２態様の他の実現方式では、前記方法は更に、ネットワーク装置から送信された、前記第１値及び／又は第２値を含む構成情報を受信することを含む。
【００２５】
第２態様及びその上記実現方式を参照して、第２態様の他の実現方式では、前記方法は更に、前記ランダムアクセスプリアンブルのｉ回目の伝送に失敗した場合、前記ランダムアクセスプリアンブルの伝送回数カウンタの値に１を加え、前記伝送回数カウンタは前記ランダムアクセスプリアンブルの伝送回数を記録することに用いられ、ｉが正の整数であることを含む。
【００２６】
第２態様及びその上記実現方式を参照して、第２態様の他の実現方式では、前記ランダムアクセスプリアンブルの伝送回数カウンタの値に１を加えた後、前記方法は更に、前記伝送回数カウンタの値が前記伝送回数最大値以下である場合、前記ランダムアクセスプリアンブルのｉ＋１回目の伝送を実行すること、又は、前記伝送回数カウンタの値が前記伝送回数最大値より大きい場合、ランダムアクセス過程に失敗したことを決定することを含む。
【００２７】
第２態様及びその上記実現方式を参照して、第２態様の他の実現方式では、ランダムアクセス過程に失敗したことを決定した後、前記方法は更に、前記ランダムアクセスプリアンブルの受信セルがプライマリセルであることを決定することと、前記プライマリセルに対応するネットワーク装置にＲＲＣシグナリングを送信し、前記ＲＲＣシグナリングは無線リンク障害を示すことに用いられることと、を含む。
【００２８】
第２態様及びその上記実現方式を参照して、第２態様の他の実現方式では、前記方法は更に、前記伝送リソースのうちの第１リソースが占有されたかどうかを決定することと、前記第１リソースが占有された場合、前記伝送リソースのうちの前記第１リソース以外の他のリソースが占有されたかどうかを決定することと、
前記第１リソースが占有されていない場合、前記第１リソースを用いて前記ランダムアクセスプリアンブルのｉ回目の伝送を実行することと、を含む。
【００２９】
第２態様及びその上記実現方式を参照して、第２態様の他の実現方式では、前記第１リソースが占有された場合、前記伝送リソースのうちの前記第１リソース以外の他のリソースが占有されたかどうかを決定した後、前記方法は更に、前記伝送リソースに未占有のリソースがない場合、前記ランダムアクセスプリアンブルのｉ回目の伝送に失敗したことを決定することを含む。
【００３０】
従って、本願の実施例のランダムアクセスプリアンブルの伝送方法によれば、端末装置はｐｒｅａｍｂｌｅを伝送するリソースがアンライセンス周波数帯に属するかどうかによって、ｐｒｅａｍｂｌｅの伝送回数最大値を設定でき、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【００３１】
第３態様では端末装置を提供し、上記第１態様又は第１態様のいずれか１つの可能な実現方式における方法を実行することに用いられる。具体的に、該端末装置は上記第１態様又は第１態様のいずれか１つの可能な実現方式における方法を実行するためのユニットを備える。
【００３２】
第４態様では端末装置を提供し、上記第２態様又は第２態様のいずれか１つの可能な実現方式における方法を実行することに用いられる。具体的に、該端末装置は上記第２態様又は第２態様のいずれか１つの可能な実現方式における方法を実行するためのユニットを備える。
【００３３】
第５態様では端末装置を提供し、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第１態様又は第１態様のいずれか１つの可能な実現方式における方法を実行する。
【００３４】
第６態様では端末装置を提供し、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第２態様又は第２態様のいずれか１つの可能な実現方式における方法を実行する。
【００３５】
第７態様ではコンピュータ可読媒体を提供し、コンピュータプログラムを記憶することに用いられ、該コンピュータプログラムは第１態様又は第１態様のいずれか１つの可能な実現方式における方法を実行するための命令を含む。
【００３６】
第８態様ではコンピュータ可読媒体を提供し、コンピュータプログラムを記憶することに用いられ、該コンピュータプログラムは第２態様又は第２態様のいずれか１つの可能な実現方式における方法を実行するための命令を含む。
【００３７】
第９態様では命令を含むコンピュータプログラム製品を提供し、コンピュータが前記コンピュータプログラム製品の前記命令を実行するとき、前記コンピュータは上記第１態様又は第１態様のいずれか１つの可能な実現方式におけるランダムアクセスプリアンブルの伝送方法を実行する。具体的に、該コンピュータプログラム製品が上記第３態様の端末装置において実行されてもよい。
【００３８】
第１０態様では命令を含むコンピュータプログラム製品を提供し、コンピュータが前記コンピュータプログラム製品の前記命令を実行するとき、前記コンピュータは上記第２態様又は第２態様のいずれか１つの可能な実現方式におけるランダムアクセスプリアンブルの伝送方法を実行する。具体的に、該コンピュータプログラム製品が上記第４態様の端末装置において実行されてもよい。
【図面の簡単な説明】
【００３９】
【図１】図１は本願の実施例に係るランダムアクセスプリアンブルの伝送方法の模式的なフローチャートである。
【図２】図２は本願の他の実施例に係るランダムアクセスプリアンブルの伝送方法の模式的なフローチャートである。
【図３】図３は本願の実施例に係る端末装置の模式的なブロック図である。
【図４】図４は本願の他の実施例に係る端末装置の模式的なブロック図である。
【図５】図５は本願の更に他の実施例に係る端末装置の模式的なブロック図である。
【図６】図６は本願の更に他の実施例に係る端末装置の模式的なブロック図である。
【発明を実施するための形態】
【００４０】
以下、図面を参照しながら、本願の実施例の技術案を説明する。
【００４１】
本願の実施例の技術案は様々な通信システム、例えば、モバイル通信用グローバル（ＧＳＭＣ、ｇｌｏｂａｌ  ｓｙｓｔｅｍ  ｏｆ  ｍｏｂｉｌｅ  ｃｏｍｍｕｎｉｃａｔｉｏｎ）システム、符号分割多元接続（ＣＤＭＡ、ｃｏｄｅ  ｄｉｖｉｓｉｏｎ  ｍｕｌｔｉｐｌｅ  ａｃｃｅｓｓ）システム、広帯域符号分割多元接続（ＷＣＤＭＡ、ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ、ｇｅｎｅｒａｌ  ｐａｃｋｅｔ  ｒａｄｉｏ  ｓｅｒｖｉｃｅ）、ロングタームエボリューション（ＬＴＥ、ｌｏｎｇ  ｔｅｒｍ  ｅｖｏｌｕｔｉｏｎ）システム、ＬＴＥ周波数分割複信（ＦＤＤ、ｆｒｅｑｕｅｎｃｙ  ｄｉｖｉｓｉｏｎ  ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、ｕｎｉｖｅｒｓａｌ  ｍｏｂｉｌｅ  ｔｅｌｅｃｏｍｍｕｎｉｃａｔｉｏｎ  ｓｙｓｔｅｍ）、マイクロ波アクセスの世界的相互運用性（ＷｉＭＡＸ、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ、５ｔｈ  ｇｅｎｅｒａｔｉｏｎ）システム又は新無線（ＮＲ、ｎｅｗ  ｒａｄｉｏ）等に適用されてもよい。
【００４２】
本願の実施例の端末装置とはユーザー装置、アクセス端末、ユーザーユニット、加入者局、移動局、トラバーサー、遠隔局、遠隔端末、モバイルデバイス、ユーザー端末、端末、無線通信装置、ユーザーエージェント又はユーザーデバイスを指してもよい。端末装置は更にセルラー方式の電話、コードレスホン、セッション確立プロトコル（ＳＩＰ、ｓｅｓｓｉｏｎ  ｉｎｉｔｉａｔｉｏｎ  ｐｒｏｔｏｃｏｌ）電話、ワイヤレスローカルループ（ＷＬＬ、ｗｉｒｅｌｅｓｓ  ｌｏｃａｌ  ｌｏｏｐ）局、パーソナルデジタルアシスタント（ＰＤＡ、ｐｅｒｓｏｎａｌ  ｄｉｇｉｔａｌ  ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ、ｐｕｂｌｉｃ  ｌａｎｄ  ｍｏｂｉｌｅ  ｎｅｔｗｏｒｋ）における端末装置等であってもよく、本願の実施例は制限しない。
【００４３】
本願の実施例のネットワーク装置は端末装置と通信するための装置であってもよく、該ネットワーク装置はＧＳＭＣシステム又はＣＤＭＡにおける基地局（ＢＴＳ、ｂａｓｅ  ｔｒａｎｓｃｅｉｖｅｒ  ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、ｅｖｏｌｕｔｉｏｎａｌ  ＮｏｄｅＢ）であってもよく、更にクラウド無線アクセスネットワーク（ＣＲＡＮ、ｃｌｏｕｄ  ｒａｄｉｏ  ａｃｃｅｓｓ  ｎｅｔｗｏｒｋ）シーンでの無線制御装置であってもよく、又は、該ネットワーク装置は中継局、アクセスポイント、車載装置、ウェアラブル端末及び将来の５Ｇネットワークにおけるネットワーク装置又は将来発展するＰＬＭＮネットワークにおけるネットワーク装置等であってもよく、本願の実施例は制限しない。
【００４４】
図１には本願の実施例に係るランダムアクセスプリアンブルの伝送方法１００の模式的なフローチャートを示し、該方法１００は端末装置により実行されてもよい。図１に示すように、該方法１００は、該ランダムアクセスプリアンブルのｉ回目の伝送を実行し、ｉが１より大きな正の整数であるＳ１１０と、該ランダムアクセスプリアンブルのｉ回目の伝送とｉ−１回目の伝送が同じビームを用いる場合、該ランダムアクセスプリアンブルの電力ランピングカウンタの値に１を加えるＳ１２０と、を含む。
【００４５】
本願の実施例では、端末装置がＳ１１０におけるランダムアクセスプリアンブル（以下、プリアンブル「ｐｒｅａｍｂｌｅ」と略称される）のｉ回目の伝送を実行する前に、該方法１００は更に、端末装置は該ｐｒｅａｍｂｌｅを実行するための伝送リソースを決定することを含む。選択肢として、該ｐｒｅａｍｂｌｅを伝送するための伝送リソースはライセンス周波数帯に属してもよく、アンライセンス周波数帯に属してもよい。該伝送リソースがライセンス周波数帯に属する場合、端末装置はネットワーク装置に構成されたリソースに基づいて、該ｐｒｅａｍｂｌｅのｉ回目の伝送を実行する。該伝送リソースがアンライセンス周波数帯に属する場合、端末装置はプリセットの条件に基づいて、少なくとも１つのプリセットの時間周波数リソースから第１プリセットの時間周波数リソースを決定してもよく、該第１プリセットの時間周波数リソースはｐｒｅａｍｂｌｅのｉ回目の伝送に使用され、該プリセットの条件はリッスンビフォアトーク（ＬＢＴ、ｌｉｓｔｅｎ  ｂｅｆｏｒｅ  ｔａｌｋ）であってもよい。
【００４６】
選択肢として、一実施例として、アンライセンス周波数帯を用いてｐｒｅａｍｂｌｅのｉ回目の伝送を実行することについては、端末装置はｐｒｅａｍｂｌｅの伝送に使用できる少なくとも１つのプリセットの時間周波数リソースを決定し、該少なくとも１つのプリセットの時間周波数リソースがアンライセンス周波数帯に属し、端末装置は該少なくとも１つのプリセットの時間周波数リソースから、ｐｒｅａｍｂｌｅのｉ回目の伝送のための第１プリセットの時間周波数リソースを決定する。具体的に、該少なくとも１つのプリセットの時間周波数リソースのうちの第２プリセットの時間周波数リソースを例とすると、端末装置は該第２プリセットの時間周波数リソースが占有されたかどうかを決定し、該第２プリセットの時間周波数リソースが占有されていない場合、該第２プリセットの時間周波数リソースを、ｐｒｅａｍｂｌｅのｉ回目の伝送を実行するための第１プリセットの時間周波数リソースとして決定し、該第２プリセットの時間周波数リソースが占有された場合、未占有のプリセットの時間周波数リソースを見つけて、該未占有のプリセットの時間周波数リソースを第１プリセットの時間周波数リソースとして決定するまで、該少なくとも１つのプリセットの時間周波数リソースから他のプリセットの時間周波数リソースが占有されたかどうかを決定し、該他のプリセットの時間周波数リソースは第２プリセットの時間周波数リソースを含まない。
【００４７】
理解されるように、端末装置が該少なくとも１つのプリセットの時間周波数リソースからアイドルのプリセットの時間周波数リソースを検出せず、即ち該少なくとも１つのプリセットの時間周波数リソースが現在すべて占有された場合、端末装置は該ｐｒｅａｍｂｌｅのｉ回目の伝送に失敗したと見なしてもよい。選択肢として、端末装置はｉ＋１回目の伝送を実行し続けることを決定する場合、他のリソースを用いて実行し、又は、所定期間を経て、該少なくとも１つのプリセットの時間周波数リソースに未占有のプリセットの時間周波数リソースがあるかどうかを再び検出して、該未占有のプリセットの時間周波数リソースを用いて該ｉ＋１回の伝送を実行してもよい。
【００４８】
理解されるように、様々な方式で該少なくとも１つのプリセットの時間周波数リソースのうちのいずれか１つのプリセットの時間周波数リソースが占有されたかどうかを決定してもよく、例えば、ここで第２プリセットの時間周波数リソースを例とすると、該第２プリセットの時間周波数リソースにおける信号のエネルギーを決定することにより、該第２プリセットの時間周波数リソースが占有されたかどうかを決定してもよい。具体的に、端末装置は該第２プリセットの時間周波数リソースにベアリングされる信号のエネルギー値を検出して決定してもよく、該信号のエネルギー値がプリセットのエネルギー値以下である場合、該第２プリセットの時間周波数リソースが占有されていないことを決定し、該信号のエネルギー値が該プリセットのエネルギー値より大きい場合、該第２プリセットの時間周波数リソースが占有されたことを決定する。選択肢として、該プリセットのエネルギー値は実際の応用に応じて設定されてもよく、本願の実施例はこれらに限らない。
【００４９】
本願の実施例では、端末装置はｐｒｅａｍｂｌｅを伝送するための伝送リソースを決定して、該伝送リソースによって該ｐｒｅａｍｂｌｅのｉ回目の伝送を実行し、Ｓ１２０では、該ｐｒｅａｍｂｌｅのｉ回目の伝送に使用されるビームとｉ−１回目の伝送に使用されるビームが同じであり、即ち、ｐｒｅａｍｂｌｅを前後２回伝送するビームが同じである場合、該ｐｒｅａｍｂｌｅに対応する電力ランピングカウンタ（ＰＲＥＡＭＢＬＥ＿ＰＯＷＥＲ＿ＲＡＭＰＩＮＧ＿ＣＯＵＮＴＥＲ）の値に１を加える。本願の実施例におけるｐｒｅａｍｂｌｅのｉ回目の伝送が非初回伝送であり、即ち該ｉの値が１より大きな正の整数であり、該ｉ回目の伝送の前に該ｐｒｅａｍｂｌｅのｉ−１回目の伝送が存在する。
【００５０】
選択肢として、端末装置は該ｐｒｅａｍｂｌｅに対応するプリアンブル伝送回数カウンタ（ＰＲＥＡＭＢＬＥ＿ＴＲＡＮＳＭＩＳＳＩＯＮ＿ＣＯＵＮＴＥＲ）によって、該ｉ回目の伝送が非初回伝送であるかどうかを決定してもよい。ＰＲＥＡＭＢＬＥ＿ＴＲＡＮＳＭＩＳＳＩＯＮ＿ＣＯＵＮＴＥＲの初期値を１として設定し、その後、ｐｒｅａｍｂｌｅの伝送が失敗するたびに、該ＰＲＥＡＭＢＬＥ＿ＴＲＡＮＳＭＩＳＳＩＯＮ＿ＣＯＵＮＴＥＲの値に１を加え、従って、該ＰＲＥＡＭＢＬＥ＿ＴＲＡＮＳＭＩＳＳＩＯＮ＿ＣＯＵＮＴＥＲの値が１より大きい場合、該ｉ回目の伝送が非初回伝送であることを示す。
【００５１】
理解されるように、端末装置が、ｐｒｅａｍｂｌｅのｉ回目の伝送に使用されるビームとｉ−１回目の伝送に使用されるビームが同じであることを決定することは、該ｐｒｅａｍｂｌｅのｉ回目の伝送とｉ−１回目の伝送が同じ同期信号ブロック（ＳＳ  ｂｌｏｃｋ、ｓｙｎｃｈｒｏｎｏｕｓ  ｓｉｇｎａｌ  ｂｌｏｃｋ）を用い、即ち該ＳＳ  ｂｌｏｃｋが変化しない場合、該ｐｒｅａｍｂｌｅのｉ回目の伝送に使用されるビームとｉ−１回目の伝送に使用されるビームが同じであることを決定してもよく、即ち、ｉ回目の伝送において端末装置がｐｒｅａｍｂｌｅを送信する際に用いる送信ビームとｉ−１回目の伝送において端末装置がｐｒｅａｍｂｌｅを送信する際に用いる送信ビームが同じであり、ビーム切替（ｂｅａｍ  ｓｗｉｔｃｈｉｎｇ）が発生しない場合、該端末装置が該ｐｒｅａｍｂｌｅのｉ回目の伝送の後で、対応するＰＲＥＡＭＢＬＥ＿ＰＯＷＥＲ＿ＲＡＭＰＩＮＧ＿ＣＯＵＮＴＥＲの値に１を加えてもよいことを含んでもよい。
【００５２】
それに対応して、該ｐｒｅａｍｂｌｅのｉ回目の伝送に使用されるビームとｉ−１回目の伝送に使用されるビームが異なり、即ちｉ回目の伝送において端末装置がｐｒｅａｍｂｌｅを送信する際に用いる送信ビームとｉ−１回目の伝送において端末装置がｐｒｅａｍｂｌｅを送信する際に用いる送信ビームが異なる場合、該ｐｒｅａｍｂｌｅのｉ回目の伝送後の対応するＰＲＥＡＭＢＬＥ＿ＰＯＷＥＲ＿ＲＡＭＰＩＮＧ＿ＣＯＵＮＴＥＲの値が変化しない。
【００５３】
本願の実施例では、Ｓ１２０において、端末装置がｐｒｅａｍｂｌｅのｉ回目の伝送に使用されるビームとｉ−１回目の伝送に使用されるビームが同じであることを決定する場合、対応するＰＲＥＡＭＢＬＥ＿ＰＯＷＥＲ＿ＲＡＭＰＩＮＧ＿ＣＯＵＮＴＥＲの値に１を加えることは更に、端末装置がｐｒｅａｍｂｌｅのｉ回目の伝送に使用されるビームとｉ−１回目の伝送に使用されるビームが同じであることを決定し、且つ該端末装置が該ＰＲＥＡＭＢＬＥ＿ＰＯＷＥＲ＿ＲＡＭＰＩＮＧ＿ＣＯＵＮＴＥＲを一時停止する必要がないことを決定する場合、該ＰＲＥＡＭＢＬＥ＿ＰＯＷＥＲ＿ＲＡＭＰＩＮＧ＿ＣＯＵＮＴＥＲの値に１を加え、そうでない場合、変化しないことを含んでもよい。具体的に、端末装置のＭＡＣエンティティは下位層の指示に従って、該ＰＲＥＡＭＢＬＥ＿ＰＯＷＥＲ＿ＲＡＭＰＩＮＧ＿ＣＯＵＮＴＥＲを一時停止することにより、該ＰＲＥＡＭＢＬＥ＿ＰＯＷＥＲ＿ＲＡＭＰＩＮＧ＿ＣＯＵＮＴＥＲを変化しないように維持してもよく、ｐｒｅａｍｂｌｅのｉ回目の伝送の後で、端末装置が該指示を受信せず、又は該ＰＲＥＡＭＢＬＥ＿ＰＯＷＥＲ＿ＲＡＭＰＩＮＧ＿ＣＯＵＮＴＥＲを一時停止しないという指示を受信した場合、端末装置はｐｒｅａｍｂｌｅのｉ回目の伝送に使用されるビームとｉ−１回目の伝送に使用されるビームが同じである場合、該ｐｒｅａｍｂｌｅのｉ回目の伝送後の対応するＰＲＥＡＭＢＬＥ＿ＰＯＷＥＲ＿ＲＡＭＰＩＮＧ＿ＣＯＵＮＴＥＲの値に１を加える。
【００５４】
本願の実施例では、該ＰＲＥＡＭＢＬＥ＿ＰＯＷＥＲ＿ＲＡＭＰＩＮＧ＿ＣＯＵＮＴＥＲの値は端末装置がｐｒｅａｍｂｌｅを送信する送信電力を決定することに用いられてもよい。具体的に、端末装置がｐｒｅａｍｂｌｅのｉ回目の伝送を実行した後、該ｉ回目の伝送に失敗した場合、端末装置は該ｐｒｅａｍｂｌｅのｉ＋１回目の伝送を実行するかどうかを決定してもよく、実行する場合、該ｉ＋１回目の伝送を行うとき、端末装置が該ｐｒｅａｍｂｌｅを送信する電力は、ｐｒｅａｍｂｌｅのｉ＋１回目の伝送を実行した後に決定した対応するＰＲＥＡＭＢＬＥ＿ＰＯＷＥＲ＿ＲＡＭＰＩＮＧ＿ＣＯＵＮＴＥＲの値によって決定されてもよい。
【００５５】
選択肢として、該ｉ＋１回目の伝送を行うとき、端末装置が該ｐｒｅａｍｂｌｅを送信する電力ＰＲＥＡＭＢＬＥ＿ＲＥＣＥＩＶＥＤ＿ＴＡＲＧＥＴ＿ＰＯＷＥＲは、
ＰＲＥＡＭＢＬＥ＿ＲＥＣＥＩＶＥＤ＿ＴＡＲＧＥＴ＿ＰＯＷＥＲ＝ｒａ−Ｐｒｅａｍｂｌｅ  Ｉｎｉｔｉａｌ  Ｒｅｃｅｉｖｅｄ  Ｔａｒｇｅｔ  Ｐｏｗｅｒ＋ＤＥＬＴＡ＿ＰＲＥＡＭＢＬＥ＋（ＰＲＥＡＭＢＬＥ＿ＰＯＷＥＲ＿ＲＡＭＰＩＮＧ＿ＣＯＵＮＴＥＲ−１）＊
という公式によって決定されてもよく、
ここで、ｒａ−Ｐｒｅａｍｂｌｅ  Ｉｎｉｔｉａｌ  Ｒｅｃｅｉｖｅｄ  Ｔａｒｇｅｔ  Ｐｏｗｅｒ、ＤＥＬＴＡ＿ＰＲＥＡＭＢＬＥ及びｐｏｗｅｒ  Ｒａｍｐｉｎｇ  Ｓｔｅｐはいずれも予め設定されたパラメータであり、ＰＲＥＡＭＢＬＥ＿ＰＯＷＥＲ＿ＲＡＭＰＩＮＧ＿ＣＯＵＮＴＥＲは、端末装置がｐｒｅａｍｂｌｅのｉ＋１回目の伝送を実行した後に決定した対応するＰＲＥＡＭＢＬＥ＿ＰＯＷＥＲ＿ＲＡＭＰＩＮＧ＿ＣＯＵＮＴＥＲの値を示す。
【００５６】
本願の実施例では、端末装置はｐｒｅａｍｂｌｅのｉ回目の伝送を実行した後、該端末装置がＲＡＲを成功に受信したかどうか及び競争に成功したかどうかによって、該ｉ回目の伝送に失敗したかどうかを決定してもよい。具体的に、端末装置はｐｒｅａｍｂｌｅのｉ回目の伝送を実行するとき、ネットワーク装置にｐｒｅａｍｂｌｅ、即ちｍｓｇ１を送信し、該ｐｒｅａｍｂｌｅはランダムに選択して決定したものであってもよく、ネットワーク装置は受信されたｐｒｅａｍｂｌｅに基づいて、端末装置にＲＡＲ、即ちｍｓｇ２を送信する。端末装置がＲＡＲウィンドウ（ｗｉｎｄｏｗ）においてＲＡＲを成功に受信していない場合、該ｐｒｅａｍｂｌｅのｉ回目の伝送に失敗したことを決定し、例えば、端末装置からネットワーク装置へのｐｒｅａｍｂｌｅの送信の失敗、又はネットワーク装置から端末装置へのＲＡＲの送信の失敗等は、いずれも該端末装置がＲＡＲ  ｗｉｎｄｏｗにおいてＲＡＲを受信できないことを引き起こす。
【００５７】
更に例えば、アンライセンス伝送リソースを用いて該ｐｒｅａｍｂｌｅのｉ回目の伝送を実行することについては、ネットワーク装置はずっとｍｓｇ２を伝送するためのリソースを決定できず、例えばネットワーク装置がＬＢＴを複数回実行したが、検出された伝送リソースがすべて占有された場合、該端末装置がＲＡＲ  ｗｉｎｄｏｗにおいてｍｓｇ２を受信できず、更に端末装置が該ｐｒｅａｍｂｌｅのｉ回目の伝送に失敗したことを決定することを引き起こす恐れがある。
【００５８】
理解されるように、該ＲＡＲ  ｗｉｎｄｏｗは実際の応用に応じて時間長さを設定してもよく、本願の実施例は制限しない。
【００５９】
選択肢として、端末装置が競争に失敗した場合、該端末装置のｐｒｅａｍｂｌｅのｉ回目の伝送に失敗したこととなる。具体的に、端末装置がネットワーク装置から送信されたｍｓｇ２を受信した場合、ネットワーク装置にｍｓｇ３を送信し、該ｍｓｇ３によってＲＲＣ接続要求（Ｃｏｎｎｅｃｔｉｏｎ  Ｒｅｑｕｅｓｔ）を送信し、該ｍｓｇ３が端末装置の識別子を含み、ネットワーク装置が該ｍｓｇ３に基づいて端末装置にｍｓｇ４を送信し、該ｍｓｇ４も端末装置の識別子を含む。複数の端末装置がネットワーク装置に同じｐｒｅａｍｂｌｅを同時に送信する場合、ネットワーク装置が該複数の端末装置から送信されたｍｓｇ３を受信し、各ｍｓｇ３が対応の端末装置の識別子を含み、ネットワーク装置が該複数の端末装置から１つの端末装置を決定して、該端末装置にｍｓｇ４を送信し、該ｍｓｇ４が該端末装置の識別子を含み、それにより複数の端末装置は受信されたｍｓｇ４に基づいて競争に成功するかどうかを決定し、端末装置はｍｓｇ４から自体の識別情報を決定した場合、競争に成功することとなり、該端末装置はｍｓｇ４から自体の識別子を決定していない場合、該端末装置が競争に失敗したこととなる。
【００６０】
本願の実施例では、端末装置がｐｒｅａｍｂｌｅのｉ回目の伝送を実行することに失敗した場合、該ｐｒｅａｍｂｌｅに対応するＰＲＥＡＭＢＬＥ＿ＴＲＡＮＳＭＩＳＳＩＯＮ＿ＣＯＵＮＴＥＲの値に基づいて、該ｐｒｅａｍｂｌｅのｉ＋１回目の伝送を実行するかどうかを決定してもよい。具体的に、端末装置は該ＰＲＥＡＭＢＬＥ＿ＴＲＡＮＳＭＩＳＳＩＯＮ＿ＣＯＵＮＴＥＲによってｐｒｅａｍｂｌｅの伝送回数を記録して、該ＰＲＥＡＭＢＬＥ＿ＴＲＡＮＳＭＩＳＳＩＯＮ＿ＣＯＵＮＴＥＲの値が伝送回数最大値に達する場合、該ランダムアクセス過程に失敗したことを決定してもよい。
【００６１】
具体的に、端末装置がｐｒｅａｍｂｌｅのｉ回目の伝送を実行することに失敗した場合、該ｐｒｅａｍｂｌｅに対応するＰＲＥＡＭＢＬＥ＿ＴＲＡＮＳＭＩＳＳＩＯＮ＿ＣＯＵＮＴＥＲの値に１を加え、このとき、対応するＰＲＥＡＭＢＬＥ＿ＴＲＡＮＳＭＩＳＳＩＯＮ＿ＣＯＵＮＴＥＲの値が伝送回数最大値以下である場合、端末装置がｉ＋１回目のｐｒｅａｍｂｌｅ伝送を実行し続け、対応するＰＲＥＡＭＢＬＥ＿ＴＲＡＮＳＭＩＳＳＩＯＮ＿ＣＯＵＮＴＥＲの値が伝送回数最大値より大きい場合、端末装置はランダムアクセス過程に失敗したことを決定する。
【００６２】
本願の実施例では、端末装置のランダムアクセス過程に失敗した後、端末装置は該ｐｒｅａｍｂｌｅの伝送の位置するセルがプライマリセルであるかどうかを決定してもよく、プライマリセルである場合、端末装置は該プライマリセルに対応するネットワーク装置にＲＲＣシグナリングを送信し、該ＲＲＣシグナリングは無線リンク障害（ｒａｄｉｏ  ｌｉｎｋ  ｆａｉｌｕｒｅ）を示すことに用いられ、プライマリセルでなくセカンダリセルである場合、該ＲＲＣシグナリングを送信する必要がない。選択肢として、該プライマリセルは端末装置に接続されるプライマリ基地局のプライマリセル、又は該端末装置に接続されるセカンダリ基地局のプライマリセルを含んでもよく、該セカンダリセルは端末装置に接続されるプライマリ基地局のセカンダリセル、又は該端末装置に接続されるセカンダリ基地局のセカンダリセルを含んでもよく、本願の実施例はこれらに限らない。
【００６３】
本願の実施例では、該ｐｒｅａｍｂｌｅの伝送回数最大値は実際の応用に応じて設定されてもよく、例えば、ある固定値として設定され、又はネットワーク装置の構成によって該伝送回数最大値を決定してもよい。選択肢として、端末装置はｐｒｅａｍｂｌｅを伝送するリソースの位置する周波数帯がライセンス周波数帯であるかどうかによって、該伝送回数最大値を設定してもよい。
【００６４】
具体的に、ｐｒｅａｍｂｌｅを伝送するためのリソースがライセンス周波数帯に属する場合、端末装置はｐｒｅａｍｂｌｅの伝送回数最大値を第１値として設定し、ｐｒｅａｍｂｌｅを伝送するためのリソースがアンライセンス周波数帯に属する場合、端末装置はｐｒｅａｍｂｌｅの伝送回数最大値を第２値として設定し、該第１値と第２値が異なる。
【００６５】
選択肢として、アンライセンス周波数帯については、端末装置は対応するプリセットの時間周波数リソースにおいてＬＢＴを実行することにより、未占有のリソースを決定してｐｒｅａｍｂｌｅの伝送を実行する必要があり、これに対応して、ネットワーク装置は対応するプリセットの時間周波数リソースにおいてＬＢＴを実行することにより、未占有のリソースを決定してｐｒｅａｍｂｌｅに対応するＲＡＲの伝送を実行する必要もあり、従って、これは端末装置がＲＡＲ  ｗｉｎｄｏｗにおいてＲＡＲを受信できない確率を増加させてしまう。しかしながら、端末装置はｐｒｅａｍｂｌｅを伝送するリソースがアンライセンス周波数帯に属するかどうかによってｐｒｅａｍｂｌｅの伝送回数最大値を設定し、アンライセンス周波数帯に対応する第２値をライセンス周波数帯に対応する第１値より大きく設定してもよく、それによりＬＢＴ失敗による端末装置がランダムアクセス過程に失敗したことを決定する確率を減少させる。
【００６６】
選択肢として、端末装置が第１値及び第２値を決定することは、端末装置がネットワーク装置から送信された、該第１値及び／又は第２値を含む構成情報を受信することを含むが、本願の実施例はこれらに限らない。
【００６７】
従って、本願の実施例のランダムアクセスプリアンブルの伝送方法によれば、端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【００６８】
図２は本願の他の実施例に係るランダムアクセスプリアンブルの伝送方法２００の模式的なフローチャートを示し、該方法２００は端末装置により実行されてもよい。図２に示すように、該方法２００は、ランダムアクセスプリアンブルを伝送するための伝送リソースがライセンス周波数帯又はアンライセンス周波数帯に属することを決定するＳ２１０と、該伝送リソースがライセンス周波数帯に属する場合、該ランダムアクセスプリアンブルの伝送回数最大値を第１値として設定するＳ２２０と、該伝送リソースがアンライセンス周波数帯に属する場合、該伝送回数最大値を第２値として設定し、該第１値と該第２値が異なるＳ２３０と、を含む。
【００６９】
本願の実施例では、端末装置がアンライセンス周波数帯のリソースを用いてｐｒｅａｍｂｌｅを伝送するとき、端末装置は対応する伝送リソースにおいてＬＢＴを実行することにより、未占有のリソースを決定してｐｒｅａｍｂｌｅの伝送を実行する必要があり、これに対応して、ネットワーク装置は対応する伝送リソースにおいてＬＢＴを実行することにより、未占有のリソースを決定してｐｒｅａｍｂｌｅに対応するＲＡＲの伝送を実行する必要もあり、従って、端末装置及びネットワーク装置のＬＢＴは伝送時間を延長させ、更に端末装置がＲＡＲ  ｗｉｎｄｏｗにおいてＲＡＲを受信できない確率を増加させる。
【００７０】
従って、本願の実施例のランダムアクセスプリアンブルの伝送方法において、端末装置はｐｒｅａｍｂｌｅを伝送するリソースがアンライセンス周波数帯に属するかどうかによって、ｐｒｅａｍｂｌｅの伝送回数最大値を設定でき、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【００７１】
本願の実施例では、端末装置はｐｒｅａｍｂｌｅの伝送回数を記録するための伝送回数カウンタ（ＰＲＥＡＭＢＬＥ＿ＴＲＡＮＳＭＩＳＳＩＯＮ＿ＣＯＵＮＴＥＲ）を備える。具体的に、端末装置は該ＰＲＥＡＭＢＬＥ＿ＴＲＡＮＳＭＩＳＳＩＯＮ＿ＣＯＵＮＴＥＲの初期値を１として設定し、その後、端末装置がｐｒｅａｍｂｌｅのｉ回目の伝送を実行することに失敗した場合、該ＰＲＥＡＭＢＬＥ＿ＴＲＡＮＳＭＩＳＳＩＯＮ＿ＣＯＵＮＴＥＲの値に１を加え、ｉが正の整数である。
【００７２】
本願の実施例では、端末装置がｐｒｅａｍｂｌｅのｉ回目の伝送を実行することに失敗した場合、該ｐｒｅａｍｂｌｅに対応するＰＲＥＡＭＢＬＥ＿ＴＲＡＮＳＭＩＳＳＩＯＮ＿ＣＯＵＮＴＥＲの値に基づいて、該ｐｒｅａｍｂｌｅのｉ＋１回目の伝送を実行するかどうかを決定してもよい。具体的に、端末装置は該ＰＲＥＡＭＢＬＥ＿ＴＲＡＮＳＭＩＳＳＩＯＮ＿ＣＯＵＮＴＥＲによってｐｒｅａｍｂｌｅの伝送回数を記録してもよく、該ＰＲＥＡＭＢＬＥ＿ＴＲＡＮＳＭＩＳＳＩＯＮ＿ＣＯＵＮＴＥＲの値が伝送回数最大値に達する場合、該ランダムアクセス過程に失敗したことを決定し、該伝送回数最大値が第１値又は第２値であってもよい。
【００７３】
具体的に、端末装置がｐｒｅａｍｂｌｅのｉ回目の伝送を実行することに失敗した場合、該ｐｒｅａｍｂｌｅに対応するＰＲＥＡＭＢＬＥ＿ＴＲＡＮＳＭＩＳＳＩＯＮ＿ＣＯＵＮＴＥＲの値に１を加え、このとき、対応するＰＲＥＡＭＢＬＥ＿ＴＲＡＮＳＭＩＳＳＩＯＮ＿ＣＯＵＮＴＥＲの値が伝送回数最大値以下である場合、端末装置がｉ＋１回目のｐｒｅａｍｂｌｅ伝送を実行し続け、対応するＰＲＥＡＭＢＬＥ＿ＴＲＡＮＳＭＩＳＳＩＯＮ＿ＣＯＵＮＴＥＲの値が伝送回数最大値より大きい場合、端末装置がランダムアクセス過程に失敗したことを決定する。
【００７４】
本願の実施例では、端末装置はｐｒｅａｍｂｌｅを伝送するものがアンライセンス周波数帯に属するかどうかによって、ｐｒｅａｍｂｌｅの伝送回数最大値が第１値又は第２値であることを決定してもよい。具体的に、該第１値及び第２値は実際の応用に応じて設定されてもよく、又は、該端末装置はネットワーク装置から送信された、該第１値及び／又は第２値を含む構成情報を受信してもよく、この場合、端末装置は該構成情報に基づいて該第１値及び第２値を決定し、本願の実施例はこれらに限らない。
【００７５】
理解されるように、端末装置がｐｒｅａｍｂｌｅのｉ回目の伝送を実行する前に、該方法２００は更に、ｐｒｅａｍｂｌｅを伝送するための伝送リソースから、ｉ回目の伝送を実行するためのリソースを決定することを含む。具体的に、ライセンスリソースについては、端末装置は該ライセンスリソースを用いて該ｉ回目のｐｒｅａｍｂｌｅ伝送を実行する。
【００７６】
選択肢として、アンライセンス伝送リソースについては、端末装置は該アンライセンス伝送リソースから、ＬＢＴによってｐｒｅａｍｂｌｅのｉ回目の伝送の実行に使用できるリソースを決定する。具体的に、端末装置はアンライセンス伝送リソースから第１リソースが占有されたかどうかを決定し、該第１リソースが占有されていない場合、該第１リソースを用いてｐｒｅａｍｂｌｅのｉ回目の伝送を実行し、該第１リソースが占有された場合、未占有のリソースを決定して、該未占有のリソースを用いてｐｒｅａｍｂｌｅのｉ回目の伝送を実行するまで、該アンライセンスリソースから第１リソース以外の他のリソースが占有されたかどうかを決定し続ける。
【００７７】
理解されるように、端末装置がすべてのアンライセンス伝送リソースからアイドルのリソースを検出せず、即ち該アンライセンス伝送リソースが現在すべて占有された場合、端末装置は該ｐｒｅａｍｂｌｅのｉ回目の伝送に失敗したと見なしてもよい。選択肢として、端末装置がｉ＋１回目の伝送を実行し続けることを決定する場合、他のリソースを用いて実行してもよく、又は、所定期間を経て、該アンライセンス伝送リソースに未占有の時間周波数リソースがあるかどうかを再び検出して、該未占有の時間周波数リソースを用いて該ｉ＋１回の伝送を実行してもよい。
【００７８】
理解されるように、様々な方式で該アンライセンス伝送リソースのうちのいずれか１つの時間周波数リソースが占有されたかどうかを決定してもよく、例えば、ここで第１リソースを例とすると、該第１リソースにおける信号のエネルギーを決定することにより、該第１リソースが占有されたかどうかを決定してもよい。具体的に、端末装置は該第１リソースにベアリングされる信号のエネルギー値を検出して決定してもよく、該信号のエネルギー値がプリセットのエネルギー値以下である場合、該第１リソースが占有されていないことを決定し、該信号のエネルギー値が該プリセットのエネルギー値より大きい場合、該第１リソースが占有されたことを決定する。選択肢として、該プリセットのエネルギー値は実際の応用に応じて設定されてもよく、本願の実施例はこれらに限らない。
【００７９】
本願の実施例では、端末装置はｐｒｅａｍｂｌｅのｉ回目の伝送を実行した後、更に該端末装置がＲＡＲを成功に受信したかどうか及び競争に成功するかどうかによって、該ｉ回目の伝送に失敗したかどうかを決定してもよい。具体的に、端末装置はｐｒｅａｍｂｌｅのｉ回目の伝送を実行するとき、ネットワーク装置にｐｒｅａｍｂｌｅ、即ちｍｓｇ１を送信し、該ｐｒｅａｍｂｌｅはランダムに選択して決定したものであってもよく、ネットワーク装置は受信されたｐｒｅａｍｂｌｅに基づいて、端末装置にＲＡＲ、即ちｍｓｇ２を送信する。端末装置がＲＡＲウィンドウ（ｗｉｎｄｏｗ）においてＲＡＲを成功に受信できない場合、該ｐｒｅａｍｂｌｅのｉ回目の伝送に失敗したことを決定する。例えば、端末装置からネットワーク装置へのｐｒｅａｍｂｌｅの送信の失敗、又はネットワーク装置から端末装置へのＲＡＲの送信の失敗等は、いずれも該端末装置がＲＡＲ  ｗｉｎｄｏｗにおいてＲＡＲを受信できないことを引き起こす。
【００８０】
更に例えば、アンライセンス伝送リソースを用いて該ｐｒｅａｍｂｌｅのｉ回目の伝送を実行することについては、ネットワーク装置がずっとｍｓｇ２の伝送に使用できるリソースを決定できず、例えばネットワーク装置がＬＢＴを複数回実行したが、検出された伝送リソースがすべて占有された場合、該端末装置がＲＡＲ  ｗｉｎｄｏｗにおいてｍｓｇ２を受信できず、更に端末装置が該ｐｒｅａｍｂｌｅのｉ回目の伝送に失敗したことを決定することを引き起こす恐れがある。
【００８１】
理解されるように、該ＲＡＲ  ｗｉｎｄｏｗは実際の応用に応じて時間を設定してもよく、本願の実施例は制限しない。
【００８２】
選択肢として、端末装置が競争に失敗したことについては、該端末装置は該ｐｒｅａｍｂｌｅのｉ回目の伝送に失敗したことを決定してもよい。具体的に、端末装置がネットワーク装置から送信されたｍｓｇ２を受信した場合、ネットワーク装置にｍｓｇ３を送信し、該ｍｓｇ３によってＲＲＣ接続要求（Ｃｏｎｎｅｃｔｉｏｎ  Ｒｅｑｕｅｓｔ）を送信し、該ｍｓｇ３が端末装置の識別子を含み、ネットワーク装置が該ｍｓｇ３に基づいて端末装置にｍｓｇ４を送信し、該ｍｓｇ４も端末装置の識別子を含む。複数の端末装置がネットワーク装置に同じｐｒｅａｍｂｌｅを同時に送信するとき、ネットワーク装置が該複数の端末装置から送信されたｍｓｇ３を受信し、各ｍｓｇ３が対応の端末装置の識別子を含み、ネットワーク装置が該複数の端末装置から１つの端末装置を決定して、該端末装置にｍｓｇ４を送信し、該ｍｓｇ４が該端末装置の識別子を含み、それにより複数の端末装置は受信されたｍｓｇ４によって競争に成功するかどうかを決定し、端末装置がｍｓｇ４から自体の識別情報を決定した場合、競争に成功することとなり、該端末装置がｍｓｇ４から自体の識別子を決定していない場合、該端末装置が競争に失敗することとなる。
【００８３】
要するに、アンライセンス伝送リソースにおいてｐｒｅａｍｂｌｅ伝送を実行することについて、端末装置は該ｐｒｅａｍｂｌｅ伝送に失敗した確率がライセンスリソースにおいてｐｒｅａｍｂｌｅを伝送する確率より大きいことを決定し、従って、アンライセンス伝送リソースにおいてｐｒｅａｍｂｌｅを伝送するとき、対応するｐｒｅａｍｂｌｅ伝送回数最大値をより大きな第２値として設定するが、ライセンス伝送リソースにおいてｐｒｅａｍｂｌｅを伝送するとき、対応するｐｒｅａｍｂｌｅ伝送回数最大値をより小さな第１値として設定してもよい。
【００８４】
本願の実施例では、端末装置がＰＲＥＡＭＢＬＥ＿ＴＲＡＮＳＭＩＳＳＩＯＮ＿ＣＯＵＮＴＥＲの値に基づいて、ランダムアクセス過程に失敗したことを決定した後、端末装置は該ｐｒｅａｍｂｌｅの伝送の位置するセルがプライマリセルであるかどうかを決定してもよく、プライマリセルである場合、端末装置が該プライマリセルに対応するネットワーク装置にＲＲＣシグナリングを送信し、該ＲＲＣシグナリングが無線リンク障害（ｒａｄｉｏ  ｌｉｎｋ  ｆａｉｌｕｒｅ）を示すことに用いられ、プライマリセルでなくセカンダリセルである場合、該ＲＲＣシグナリングを送信する必要がない。選択肢として、該プライマリセルは端末装置に接続されるプライマリ基地局のプライマリセル、又は該端末装置に接続されるセカンダリ基地局のプライマリセルを含んでもよく、該セカンダリセルは端末装置に接続されるプライマリ基地局のセカンダリセル又は該端末装置に接続されるセカンダリ基地局のセカンダリセルを含んでもよく、本願の実施例はこれらに限らない。
【００８５】
従って、本願の実施例のランダムアクセスプリアンブルの伝送方法によれば、端末装置はｐｒｅａｍｂｌｅを伝送するリソースがアンライセンス周波数帯に属するかどうかによって、ｐｒｅａｍｂｌｅの伝送回数最大値を設定でき、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【００８６】
理解されるように、本願の様々な実施例では、上記各過程の番号の順位は実行順序の前後を意味せず、各過程の実行順序はその機能及び内部論理によって決定されるべきであり、本願の実施例の実施過程を制限するためのものではない。
【００８７】
また、本明細書における用語「及び／又は」は関連オブジェクトの関連関係を説明するためのものに過ぎず、３つの関係が存在してもよいことを示し、例えば、「Ａ及び／又はＢ」は、Ａが独立して存在すること、ＡとＢが同時に存在すること、Ｂが独立して存在することの３つの状況を示してもよい。また、本明細書における文字「／」は一般的に前後関連オブジェクトが「又は」の関係であることを示す。
【００８８】
以上は図１〜図２を参照しながら本願の実施例に係るランダムアクセスプリアンブルの伝送方法を詳しく説明したが、以下では図３〜図６を参照しながら本願の実施例に係る端末装置を説明する。
【００８９】
図３に示すように、本願の実施例に係る端末装置３００は送受信ユニット３１０及び処理ユニット３２０を備え、選択肢として、決定ユニット３３０を更に備えてもよい。
【００９０】
具体的に、該送受信ユニット３１０は、該ランダムアクセスプリアンブルのｉ回目の伝送を実行することに用いられ、ｉが１より大きな正の整数であり、該処理ユニット３２０は、該ランダムアクセスプリアンブルのｉ回目の伝送とｉ−１回目の伝送が同じビームを用いる場合、該ランダムアクセスプリアンブルの電力ランピングカウンタの値に１を加えることに用いられる。
【００９１】
従って、本願の実施例の端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【００９２】
選択肢として、決定ユニット３３０は、該処理ユニット３２０が該ランダムアクセスプリアンブルの電力ランピングカウンタの値に１を加える前に、該電力ランピングカウンタを一時停止する必要がないことを決定することに用いられる。
【００９３】
選択肢として、該決定ユニット３３０は、該ランダムアクセスプリアンブルのｉ回目の伝送とｉ−１回目の伝送が同じ同期信号ブロックを用いる場合、該ランダムアクセスプリアンブルのｉ回目の伝送とｉ−１回目の伝送との用いるビームが同じであることを決定することに用いられる。
【００９４】
選択肢として、該決定ユニット３３０は、該送受信ユニット３１０が該ランダムアクセスプリアンブルのｉ回目の伝送を実行する前に、少なくとも１つのプリセットの時間周波数リソースから第１プリセットの時間周波数リソースを決定することに用いられ、該第１プリセットの時間周波数リソースは該ランダムアクセスプリアンブルのｉ回目の伝送に使用される。
【００９５】
選択肢として、該決定ユニット３３０は具体的に、該少なくとも１つのプリセットの時間周波数リソースのうちの第２プリセットの時間周波数リソースが占有されたかどうかを決定することと、該第２プリセットの時間周波数リソースが占有されていない場合、該第２プリセットの時間周波数リソースを該第１プリセットの時間周波数リソースとして決定し、又は、該第２プリセットの時間周波数リソースが占有された場合、該少なくとも１つのプリセットの時間周波数リソースのうちの該第２プリセットの時間周波数リソース以外の他のプリセットの時間周波数リソースが占有されたかどうかを決定することと、に用いられる。
【００９６】
選択肢として、該決定ユニット３３０は具体的に、該第２プリセットの時間周波数リソースにベアリングされる信号のエネルギー値を決定することと、該信号のエネルギー値がプリセットのエネルギー値以下である場合、該第２プリセットの時間周波数リソースが占有されていないことを決定し、又は、該信号のエネルギー値がプリセットのエネルギー値より大きい場合、該第２プリセットの時間周波数リソースが占有されていないことを決定することと、に用いられる。
【００９７】
選択肢として、該ランダムアクセスプリアンブルのｉ回目の伝送後の該電力ランピングカウンタの値は、該ランダムアクセスプリアンブルのｉ＋１回目の送信電力を決定することに用いられる。
【００９８】
選択肢として、該処理ユニット３２０は具体的に、該送受信ユニット３１０が該ランダムアクセスプリアンブルのｉ回目の伝送を実行した後、該ランダムアクセスプリアンブルのｉ回目の伝送に失敗したことを決定する場合、該ランダムアクセスプリアンブルの伝送回数カウンタの値に１を加えることに用いられ、該伝送回数カウンタは該ランダムアクセスプリアンブルの伝送回数を記録することに用いられる。
【００９９】
選択肢として、該送受信ユニット３１０は具体的に、該処理ユニット３２０が該ランダムアクセスプリアンブルの伝送回数カウンタの値に１を加えた後、該伝送回数カウンタの値が該ランダムアクセスプリアンブルの伝送回数最大値以下である場合、該ランダムアクセスプリアンブルのｉ＋１回目の伝送を実行すること、又は、該伝送回数カウンタの値が該伝送回数最大値より大きい場合、ランダムアクセス過程に失敗したことを決定することに用いられる。
【０１００】
選択肢として、該決定ユニット３３０は、該決定ユニット３３０がランダムアクセス過程に失敗したことを決定した後、該ランダムアクセスプリアンブルの受信セルがプライマリセルであることを決定することに用いられ、該送受信ユニット３１０は具体的に、該プライマリセルに対応するネットワーク装置にＲＲＣシグナリングを送信することに用いられ、該ＲＲＣシグナリングは無線リンク障害を示すことに用いられる。
【０１０１】
選択肢として、該決定ユニット３３０は、該ランダムアクセスプリアンブルを伝送するための伝送リソースがライセンス周波数帯又はアンライセンス周波数帯に属することを決定することに用いられ、該処理ユニット３２０は具体的に、該伝送リソースがライセンス周波数帯に属する場合、該ランダムアクセスプリアンブルの伝送回数最大値を第１値として設定すること、又は、該伝送リソースがアンライセンス周波数帯に属する場合、該伝送回数最大値を第２値として設定することに用いられ、該第１値と該第２値が異なる。
【０１０２】
選択肢として、該第１値が該第２値より小さい。
【０１０３】
選択肢として、該送受信ユニット３１０は具体的に、ネットワーク装置から送信された、該第１値及び／又は第２値を含む構成情報を受信することに用いられる。
【０１０４】
理解されるように、本願の実施例に係る端末装置３００は本願の実施例の方法１００を実行するものに対応してもよく、且つ端末装置３００における各ユニットの上記及び他の操作及び／又は機能は、それぞれ図１における方法の端末装置の対応プロセスを実現するためのものであり、簡潔のために、ここで詳細な説明は省略する。
【０１０５】
従って、本願の実施例の端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【０１０６】
図４に示すように、本願の実施例に係る端末装置４００は決定ユニット４１０及び処理ユニット４２０を備え、選択肢として、送受信ユニット４３０を更に備えてもよい。
【０１０７】
具体的に、該決定ユニット４１０は、ランダムアクセスプリアンブルを伝送するための伝送リソースがライセンス周波数帯又はアンライセンス周波数帯に属することを決定することに用いられ、該処理ユニット４２０は、該伝送リソースがライセンス周波数帯に属する場合、該ランダムアクセスプリアンブルの伝送回数最大値を第１値として設定することに用いられ、該処理ユニット４２０は更に、該伝送リソースがアンライセンス周波数帯に属する場合、該伝送回数最大値を第２値として設定することに用いられ、該第１値と該第２値が異なる。
【０１０８】
従って、本願の実施例の端末装置によれば、ｐｒｅａｍｂｌｅを伝送するリソースがアンライセンス周波数帯に属するかどうかによってｐｒｅａｍｂｌｅの伝送回数最大値を設定し、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【０１０９】
選択肢として、該第１値が該第２値より小さい。
【０１１０】
選択肢として、該送受信ユニット４３０は、ネットワーク装置から送信された、該第１値及び／又は第２値を含む構成情報を受信することに用いられる。
【０１１１】
選択肢として、該処理ユニット４２０は具体的に、該ランダムアクセスプリアンブルのｉ回目の伝送に失敗した場合、該ランダムアクセスプリアンブルの伝送回数カウンタの値に１を加えることに用いられ、該伝送回数カウンタは該ランダムアクセスプリアンブルの伝送回数を記録することに用いられ、ｉが正の整数である。
【０１１２】
選択肢として、該処理ユニット４２０は具体的に、該ランダムアクセスプリアンブルの伝送回数カウンタの値に１を加えた後、該伝送回数カウンタの値が該伝送回数最大値以下である場合、該ランダムアクセスプリアンブルのｉ＋１回目の伝送を実行すること、又は、該伝送回数カウンタの値が該伝送回数最大値より大きい場合、ランダムアクセス過程に失敗したことを決定することに用いられる。
【０１１３】
選択肢として、該決定ユニット４１０は具体的に、該ランダムアクセス過程に失敗したことを決定した後、該ランダムアクセスプリアンブルの受信セルがプライマリセルであることを決定することに用いられ、該送受信ユニット４３０は、該プライマリセルに対応するネットワーク装置にＲＲＣシグナリングを送信することに用いられ、該ＲＲＣシグナリングは無線リンク障害を示すことに用いられる。
【０１１４】
選択肢として、該決定ユニット４１０は具体的に、該伝送リソースのうちの第１リソースが占有されたかどうかを決定することと、該第１リソースが占有された場合、該伝送リソースのうちの該第１リソース以外の他のリソースが占有されたかどうかを決定し、又は、該第１リソースが占有されていない場合、該第１リソースを用いて該ランダムアクセスプリアンブルのｉ回目の伝送を実行することと、に用いられる。
【０１１５】
選択肢として、該決定ユニット４１０は具体的に、該第１リソースが占有された場合、該伝送リソースのうちの該第１リソース以外の他のリソースが占有されたかどうかを決定した後、該伝送リソースに未占有のリソースがない場合、該ランダムアクセスプリアンブルのｉ回目の伝送に失敗したことを決定することに用いられる。
【０１１６】
理解されるように、本願の実施例に係る端末装置４００は本願の実施例の方法２００を実行するものに対応してもよく、且つ端末装置４００における各ユニットの上記及び他の操作及び／又は機能はそれぞれ図２における方法の端末装置の対応プロセスを実現するためのものであり、簡潔のために、ここで詳細な説明は省略する。
【０１１７】
選択肢として、該端末装置４００は本願の実施例の端末装置３００であってもよいが、本願の実施例はこれらに限らない。
【０１１８】
従って、本願の実施例の端末装置によれば、ｐｒｅａｍｂｌｅを伝送するリソースがアンライセンス周波数帯に属するかどうかによってｐｒｅａｍｂｌｅの伝送回数最大値を設定し、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【０１１９】
図５は本願の実施例に係る端末装置５００の模式的なブロック図を示し、図５に示すように、該端末装置５００はプロセッサ５１０及び送受信機５２０を備え、プロセッサ５１０と送受信機５２０が接続され、選択肢として、該端末装置５００はメモリ５３０を更に備え、メモリ５３０がプロセッサ５１０に接続される。プロセッサ５１０、メモリ５３０及び送受信機５２０が内部接続経路によって互いに通信し、データ信号を伝達及び／又は制御し、該メモリ５３０は命令を記憶することに用いられてもよく、該プロセッサ５１０は該メモリ５３０に記憶される命令を実行して、送受信機５２０による情報又は信号の送信を制御することに用いられ、該送受信機５２０は該ランダムアクセスプリアンブルのｉ回目の伝送を実行することに用いられ、ｉが１より大きな正の整数であり、該プロセッサ５１０は、該ランダムアクセスプリアンブルのｉ回目の伝送とｉ−１回目の伝送が同じビームを用いる場合、該ランダムアクセスプリアンブルの電力ランピングカウンタの値に１を加えることに用いられる。
【０１２０】
従って、本願の実施例の端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【０１２１】
選択肢として、一実施例として、該プロセッサ５１０は、該ランダムアクセスプリアンブルの電力ランピングカウンタの値に１を加える前に、該電力ランピングカウンタを一時停止する必要がないことを決定することに用いられる。
【０１２２】
選択肢として、一実施例として、該プロセッサ５１０は、該ランダムアクセスプリアンブルのｉ回目の伝送とｉ−１回目の伝送が同じ同期信号ブロックを用いる場合、該ランダムアクセスプリアンブルのｉ回目の伝送とｉ−１回目の伝送との用いるビームが同じであることを決定することに用いられる。
【０１２３】
選択肢として、一実施例として、該プロセッサ５１０は、該送受信機５２０が該ランダムアクセスプリアンブルのｉ回目の伝送を実行する前に、少なくとも１つのプリセットの時間周波数リソースから第１プリセットの時間周波数リソースを決定することに用いられ、該第１プリセットの時間周波数リソースは該ランダムアクセスプリアンブルのｉ回目の伝送に使用される。
【０１２４】
選択肢として、一実施例として、該プロセッサ５１０は、該少なくとも１つのプリセットの時間周波数リソースのうちの第２プリセットの時間周波数リソースが占有されたかどうかを決定することと、該第２プリセットの時間周波数リソースが占有されていない場合、該第２プリセットの時間周波数リソースを該第１プリセットの時間周波数リソースとして決定し、又は、該第２プリセットの時間周波数リソースが占有された場合、該少なくとも１つのプリセットの時間周波数リソースのうちの該第２プリセットの時間周波数リソース以外の他のプリセットの時間周波数リソースが占有されたかどうかを決定することと、に用いられる。
【０１２５】
選択肢として、一実施例として、該プロセッサ５１０は、該第２プリセットの時間周波数リソースにベアリングされる信号のエネルギー値を決定することと、該信号のエネルギー値がプリセットのエネルギー値以下である場合、該第２プリセットの時間周波数リソースが占有されていないことを決定し、又は、該信号のエネルギー値がプリセットのエネルギー値より大きい場合、該第２プリセットの時間周波数リソースが占有されていないことを決定することと、に用いられる。
【０１２６】
選択肢として、一実施例として、該ランダムアクセスプリアンブルのｉ回目の伝送後の該電力ランピングカウンタの値は、該ランダムアクセスプリアンブルのｉ＋１回目の送信電力を決定することに用いられる。
【０１２７】
選択肢として、一実施例として、該プロセッサ５１０は、該送受信機５２０が該ランダムアクセスプリアンブルのｉ回目の伝送を実行した後、該ランダムアクセスプリアンブルのｉ回目の伝送に失敗したことを決定する場合、該ランダムアクセスプリアンブルの伝送回数カウンタの値に１を加えることに用いられ、該伝送回数カウンタが該ランダムアクセスプリアンブルの伝送回数を記録することに用いられる。
【０１２８】
選択肢として、一実施例として、該送受信機５２０は具体的に、該プロセッサ５１０が該ランダムアクセスプリアンブルの伝送回数カウンタの値に１を加えた後、該伝送回数カウンタの値が該ランダムアクセスプリアンブルの伝送回数最大値以下である場合、該ランダムアクセスプリアンブルのｉ＋１回目の伝送を実行すること、又は、該伝送回数カウンタの値が該伝送回数最大値より大きい場合、ランダムアクセス過程に失敗したことを決定することに用いられる。
【０１２９】
選択肢として、一実施例として、該プロセッサ５１０は、ランダムアクセス過程に失敗したことを決定した後、該ランダムアクセスプリアンブルの受信セルがプライマリセルであることを決定することに用いられ、該送受信機５２０は、該プライマリセルに対応するネットワーク装置にＲＲＣシグナリングを送信することに用いられ、該ＲＲＣシグナリングは無線リンク障害を示すことに用いられる。
【０１３０】
選択肢として、一実施例として、該プロセッサ５１０は、該ランダムアクセスプリアンブルを伝送するための伝送リソースがライセンス周波数帯又はアンライセンス周波数帯に属することを決定することと、該伝送リソースがライセンス周波数帯に属する場合、該ランダムアクセスプリアンブルの伝送回数最大値を第１値として設定し、又は、該伝送リソースがアンライセンス周波数帯に属する場合、該伝送回数最大値を第２値として設定し、該第１値と該第２値が異なることと、に用いられる。
【０１３１】
選択肢として、一実施例として、該第１値が該第２値より小さい。
【０１３２】
選択肢として、一実施例として、該送受信機５２０は具体的に、ネットワーク装置から送信された、該第１値及び／又は第２値を含む構成情報を受信することに用いられる。
【０１３３】
理解されるように、本願の実施例に係る端末装置５００は本願の実施例の端末装置３００に対応してもよく、且つ本願の実施例に係る方法１００を実行する対応の主体に対応してもよく、且つ端末装置５００における各ユニットの上記及び他の操作及び／又は機能は、それぞれ図１における各方法の端末装置の対応プロセスを実現するためのものであり、簡潔のために、ここで詳細な説明は省略する。
【０１３４】
従って、本願の実施例の端末装置はｐｏｗｅｒ  ｒａｍｐｉｎｇを記録するためのＰＲＥＡＭＢＬＥ＿ＰＯＷＥＲ＿ＲＡＭＰＩＮＧ＿ＣＯＵＮＴＥＲを備え、且つ、端末装置の実行するｐｒｅａｍｂｌｅの非初回伝送については、前回伝送に使用されるビームと同じであり、即ちビームが変化しない場合、該ｐｒｅａｍｂｌｅに対応するＰＲＥＡＭＢＬＥ＿ＰＯＷＥＲ＿ＲＡＭＰＩＮＧ＿ＣＯＵＮＴＥＲの値に１を加え、ビームが変化した場合、ＰＲＥＡＭＢＬＥ＿ＰＯＷＥＲ＿ＲＡＭＰＩＮＧ＿ＣＯＵＮＴＥＲの値が変化しないように維持し、即ち、端末装置の該ＰＲＥＡＭＢＬＥ＿ＰＯＷＥＲ＿ＲＡＭＰＩＮＧ＿ＣＯＵＮＴＥＲはｐｒｅａｍｂｌｅ伝送過程においてビームが変換されるとき、ｐｏｗｅｒ  ｒａｍｐｉｎｇが変化しないように確保することをサポートする。
【０１３５】
図６は本願の実施例に係る端末装置６００の模式的なブロック図を示し、図６に示すように、該端末装置６００はプロセッサ６１０及び送受信機６２０を備え、プロセッサ６１０と送受信機６２０が接続され、選択肢として、該端末装置６００はメモリ６３０を更に備え、メモリ６３０がプロセッサ６１０に接続される。プロセッサ６１０、メモリ６３０及び送受信機６２０が内部接続経路によって互いに通信し、データ信号を伝達及び／又は制御し、該メモリ６３０は命令を記憶することに用いられてもよく、該プロセッサ６１０は該メモリ６３０に記憶される命令を実行して、送受信機６２０による情報又は信号の送信を制御することに用いられ、該プロセッサ６１０は、ランダムアクセスプリアンブルを伝送するための伝送リソースがライセンス周波数帯又はアンライセンス周波数帯に属することを決定することと、該伝送リソースがライセンス周波数帯に属する場合、該ランダムアクセスプリアンブルの伝送回数最大値を第１値として設定することと、該伝送リソースがアンライセンス周波数帯に属する場合、該伝送回数最大値を第２値として設定し、該第１値と該第２値が異なることと、に用いられる。
【０１３６】
従って、本願の実施例の端末装置によれば、ｐｒｅａｍｂｌｅを伝送するリソースがアンライセンス周波数帯に属するかどうかによってｐｒｅａｍｂｌｅの伝送回数最大値を設定し、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【０１３７】
選択肢として、一実施例として、該第１値が該第２値より小さい。
【０１３８】
選択肢として、一実施例として、該送受信機６２０は、ネットワーク装置から送信された、該第１値及び／又は第２値を含む構成情報を受信することに用いられる。
【０１３９】
選択肢として、一実施例として、該プロセッサ６１０は、該ランダムアクセスプリアンブルのｉ回目の伝送に失敗した場合、該ランダムアクセスプリアンブルの伝送回数カウンタの値に１を加えることに用いられ、該伝送回数カウンタは該ランダムアクセスプリアンブルの伝送回数を記録することに用いられ、ｉが正の整数である。
【０１４０】
選択肢として、一実施例として、該プロセッサ６１０は、該ランダムアクセスプリアンブルの伝送回数カウンタの値に１を加えた後、該伝送回数カウンタの値が該伝送回数最大値以下である場合、該ランダムアクセスプリアンブルのｉ＋１回目の伝送を実行すること、又は、該伝送回数カウンタの値が該伝送回数最大値より大きい場合、ランダムアクセス過程に失敗したことを決定することに用いられる。
【０１４１】
選択肢として、一実施例として、該プロセッサ６１０は、該ランダムアクセス過程に失敗したことを決定した後、該ランダムアクセスプリアンブルの受信セルがプライマリセルであることを決定することに用いられ、該送受信機６２０は、該プライマリセルに対応するネットワーク装置にＲＲＣシグナリングを送信することに用いられ、該ＲＲＣシグナリングは無線リンク障害を示すことに用いられる。
【０１４２】
選択肢として、一実施例として、該プロセッサ６１０は、該伝送リソースのうちの第１リソースが占有されたかどうかを決定することと、該第１リソースが占有された場合、該伝送リソースのうちの該第１リソース以外の他のリソースが占有されたかどうかを決定し、又は、該第１リソースが占有されていない場合、該第１リソースを用いて該ランダムアクセスプリアンブルのｉ回目の伝送を実行することと、に用いられる。
【０１４３】
選択肢として、一実施例として、該プロセッサ６１０は、該第１リソースが占有された場合、該伝送リソースのうちの該第１リソース以外の他のリソースが占有されたかどうかを決定した後、該伝送リソースに未占有のリソースがない場合、該ランダムアクセスプリアンブルのｉ回目の伝送に失敗したことを決定することに用いられる。
【０１４４】
理解されるように、本願の実施例に係る端末装置６００は本願の実施例の端末装置４００に対応してもよく、且つ本願の実施例に係る方法２００を実行する対応の主体に対応してもよく、且つ端末装置６００における各ユニットの上記及び他の操作及び／又は機能は、それぞれ図２における各方法の端末装置の対応プロセスを実現するためのものであり、簡潔のために、ここで詳細な説明は省略する。
【０１４５】
従って、本願の実施例の端末装置によれば、ｐｒｅａｍｂｌｅを伝送するリソースがアンライセンス周波数帯に属するかどうかによってｐｒｅａｍｂｌｅの伝送回数最大値を設定し、ライセンスリソースに属する場合、それに対応して伝送回数最大値を第１値として設定し、アンライセンス周波数帯に属する場合、それに対応して伝送回数最大値を第２値として設定し、且つ第１値と第２値が異なり、例えば第２値を第１値より大きく設定することにより、ＬＢＴ失敗による端末装置がランダムアクセス過程に失敗したことを決定する確率を減少させる。
【０１４６】
なお、本願の上記方法実施例はプロセッサに適用され、又はプロセッサにより実現されることができる。プロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで遂行し、又は復号プロセッサにおけるハードウェア及びソフトウェアモジュールの組み合わせで遂行するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１４７】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ｒｏｍ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってもよい。制限的ではない例示的な説明により、多くの形式のＲＡＭ、例えばスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈｌｉｎｋ  ＤＲＡＭ）及びダイレクトラムバスランダムアクセスメモリ（ＤＲ  ＲＡＭ、ｄｉｒｅｃｔ  ｒａｍｂｕｓ  ＲＡＭ）が利用可能である。なお、本明細書に説明されるシステム及び方法のメモリは、これらのメモリ及び任意の他の適切なタイプのメモリを含むが、それらに限らないように意図される。
【０１４８】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１４９】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１５０】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１５１】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の需要に応じて、その一部又は全部のユニットを選択して本実施例案の目的を実現してもよい。
【０１５２】
また、本願の各実施例では、各機能ユニットは１つの処理ユニットに統合されてもよく、各ユニットは独立して物理的に存在してもよく、２つ以上のユニットは１つのユニットに統合されてもよい。
【０１５３】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、ｒｅａｄ−ｏｎｌｙ  ｍｅｍｏｒｙ）、ランダムアクセスメモリ（ＲＡＭ、ｒａｎｄｏｍ  ａｃｃｅｓｓ  ｍｅｍｏｒｙ）、磁気ディスク又は光ディスク等のプログラムコードを記憶できる様々な媒体を含む。
【０１５４】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021514557.tif 000003
【図２】
2021514557.tif 000004
【図３】
2021514557.tif 000005
【図４】
2021514557.tif 000006
【図５】
2021514557.tif 000007
【図６】
2021514557.tif 000008
【手続補正書】
【提出日】令和2年12月9日(2020.12.9)
【手続補正１】
【補正対象書類名】明細書
【補正対象項目名】０００２
【補正方法】変更
【補正の内容】
【０００２】
ロングタームエボリューション（ＬＴＥ、ｌｏｎｇ  ｔｅｒｍ  ｅｖｏｌｕｔｉｏｎ）システムのランダムアクセス過程において、端末装置における媒体アクセス制御（ｍｅｄｉａ  ａｃｃｅｓｓ  ｃｏｎｔｒｏｌ、ＭＡＣ）エンティティ（ｅｎｔｉｔｙ）は、１つのランダムアクセスプリアンブル伝送回数カウンタ（ＰＲＥＡＭＢＬＥ＿ＴＲＡＮＳＭＩＳＳＩＯＮ＿ＣＯＵＮＴＥＲ）しか維持しなく、該カウンタは電力ランピング（ｐｏｗｅｒ  ｒａｍｐｉｎｇ）のカウントに使用されるだけでなく、プリアンブル伝送回数を統計することにも用いられ、それにより、ランダムアクセスチャネル（ＲＡＣＨ、ｒａｎｄｏｍ  ａｃｃｅｓｓ  ｃｈａｎｎｅｌ）の最大伝送回数を制限する。
【手続補正２】
【補正対象書類名】明細書
【補正対象項目名】０００５
【補正方法】変更
【補正の内容】
【０００５】
本願はランダムアクセスプリアンブルの伝送方法及び端末装置を提供し、それにより、端末装置は伝送ビームが変化するかどうかによって、ランダムアクセスプリアンブルの電力ランピングカウンタを決定し、ランダムアクセスプリアンブルを伝送する伝送リソースがアンライセンス周波数帯に属するかどうかによって、対応するランダムアクセスプリアンブルの伝送回数最大値を設定することができる。
【手続補正３】
【補正対象書類名】明細書
【補正対象項目名】００１２
【補正方法】変更
【補正の内容】
【００１２】
第１態様及びその上記実現方式を参照して、第１態様の他の実現方式では、前記少なくとも１つのプリセットの時間周波数リソースのうちの第２プリセットの時間周波数リソースが占有されたかどうかを決定することは、前記第２プリセットの時間周波数リソースにベアリングされる信号のエネルギー値を決定することと、前記信号のエネルギー値がプリセットのエネルギー値以下である場合、前記第２プリセットの時間周波数リソースが占有されていないことを決定し、又は、前記信号のエネルギー値がプリセットのエネルギー値より大きい場合、前記第２プリセットの時間周波数リソースが占有されたことを決定することと、を含む。
【手続補正４】
【補正対象書類名】明細書
【補正対象項目名】００３３
【補正方法】変更
【補正の内容】
【００３３】
第５態様では端末装置を提供し、メモリ及びプロセッサを備え、該メモリは命令を記憶することに用いられ、該プロセッサは該メモリに記憶される命令を実行することに用いられ、且つ、該プロセッサが該メモリに記憶される命令を実行するとき、該実行によって該プロセッサが第１態様又は第１態様のいずれか１つの可能な実現方式における方法を実行する。
【手続補正５】
【補正対象書類名】明細書
【補正対象項目名】００３４
【補正方法】変更
【補正の内容】
【００３４】
第６態様では端末装置を提供し、メモリ及びプロセッサを備え、該メモリは命令を記憶することに用いられ、該プロセッサは該メモリに記憶される命令を実行することに用いられ、且つ、該プロセッサが該メモリに記憶される命令を実行するとき、該実行によって該プロセッサが第２態様又は第２態様のいずれか１つの可能な実現方式における方法を実行する。
【手続補正６】
【補正対象書類名】明細書
【補正対象項目名】００４１
【補正方法】変更
【補正の内容】
【００４１】
本願の実施例の技術案は様々な通信システム、例えば、モバイル通信用グローバル（ＧＳＭＣ、ｇｌｏｂａｌ  ｓｙｓｔｅｍ  ｏｆ  ｍｏｂｉｌｅ  ｃｏｍｍｕｎｉｃａｔｉｏｎ）システム、符号分割多元接続（ＣＤＭＡ、ｃｏｄｅ  ｄｉｖｉｓｉｏｎ  ｍｕｌｔｉｐｌｅ  ａｃｃｅｓｓ）システム、広帯域符号分割多元接続（ＷＣＤＭＡ、ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ、ｇｅｎｅｒａｌ  ｐａｃｋｅｔ  ｒａｄｉｏ  ｓｅｒｖｉｃｅ）システム、ロングタームエボリューション（ＬＴＥ、ｌｏｎｇ  ｔｅｒｍ  ｅｖｏｌｕｔｉｏｎ）システム、ＬＴＥ周波数分割複信（ＦＤＤ、ｆｒｅｑｕｅｎｃｙ  ｄｉｖｉｓｉｏｎ  ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、ユニバーサルモバイルテレコミュニケーションズシステム（ＵＭＴＳ、ｕｎｉｖｅｒｓａｌ  ｍｏｂｉｌｅ  ｔｅｌｅｃｏｍｍｕｎｉｃａｔｉｏｎ  ｓｙｓｔｅｍ）、マイクロ波アクセスの世界的相互運用性（ＷｉＭＡＸ、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ、５ｔｈ  ｇｅｎｅｒａｔｉｏｎ）システム又は新無線（ＮＲ、ｎｅｗ  ｒａｄｉｏ）システム等に適用されてもよい。
【手続補正７】
【補正対象書類名】明細書
【補正対象項目名】００４８
【補正方法】変更
【補正の内容】
【００４８】
理解されるように、様々な方式で該少なくとも１つのプリセットの時間周波数リソースのうちのいずれか１つのプリセットの時間周波数リソースが占有されたかどうかを決定してもよく、例えば、ここで第２プリセットの時間周波数リソースを例とすると、該第２プリセットの時間周波数リソースにおける信号のエネルギー値を決定することにより、該第２プリセットの時間周波数リソースが占有されたかどうかを決定してもよい。具体的に、端末装置は該第２プリセットの時間周波数リソースにベアリングされる信号のエネルギー値を検出して決定してもよく、該信号のエネルギー値がプリセットのエネルギー値以下である場合、該第２プリセットの時間周波数リソースが占有されていないことを決定し、該信号のエネルギー値が該プリセットのエネルギー値より大きい場合、該第２プリセットの時間周波数リソースが占有されたことを決定する。選択肢として、該プリセットのエネルギー値は実際の応用に応じて設定されてもよく、本願の実施例はこれらに限らない。
【手続補正８】
【補正対象書類名】明細書
【補正対象項目名】００５５
【補正方法】変更
【補正の内容】
【００５５】
選択肢として、該ｉ＋１回目の伝送を行うとき、端末装置が該ｐｒｅａｍｂｌｅを送信する電力ＰＲＥＡＭＢＬＥ＿ＲＥＣＥＩＶＥＤ＿ＴＡＲＧＥＴ＿ＰＯＷＥＲは、
ＰＲＥＡＭＢＬＥ＿ＲＥＣＥＩＶＥＤ＿ＴＡＲＧＥＴ＿ＰＯＷＥＲ＝ｒａ−Ｐｒｅａｍｂｌｅ  Ｉｎｉｔｉａｌ  Ｒｅｃｅｉｖｅｄ  Ｔａｒｇｅｔ  Ｐｏｗｅｒ＋ＤＥＬＴＡ＿ＰＲＥＡＭＢＬＥ＋（ＰＲＥＡＭＢＬＥ＿ＰＯＷＥＲ＿ＲＡＭＰＩＮＧ＿ＣＯＵＮＴＥＲ−１）＊ｐｏｗｅｒＲａｍｐｉｎｇＳｔｅｐ
という公式によって決定されてもよく、
ここで、ｒａ−Ｐｒｅａｍｂｌｅ  Ｉｎｉｔｉａｌ  Ｒｅｃｅｉｖｅｄ  Ｔａｒｇｅｔ  Ｐｏｗｅｒ、ＤＥＬＴＡ＿ＰＲＥＡＭＢＬＥ及びｐｏｗｅｒ  Ｒａｍｐｉｎｇ  Ｓｔｅｐはいずれも予め設定されたパラメータであり、ＰＲＥＡＭＢＬＥ＿ＰＯＷＥＲ＿ＲＡＭＰＩＮＧ＿ＣＯＵＮＴＥＲは、端末装置がｐｒｅａｍｂｌｅのｉ＋１回目の伝送を実行した後に決定した対応するＰＲＥＡＭＢＬＥ＿ＰＯＷＥＲ＿ＲＡＭＰＩＮＧ＿ＣＯＵＮＴＥＲの値を示す。
【手続補正９】
【補正対象書類名】明細書
【補正対象項目名】００７８
【補正方法】変更
【補正の内容】
【００７８】
理解されるように、様々な方式で該アンライセンス伝送リソースのうちのいずれか１つの時間周波数リソースが占有されたかどうかを決定してもよく、例えば、ここで第１リソースを例とすると、該第１リソースにおける信号のエネルギー値を決定することにより、該第１リソースが占有されたかどうかを決定してもよい。具体的に、端末装置は該第１リソースにベアリングされる信号のエネルギー値を検出して決定してもよく、該信号のエネルギー値がプリセットのエネルギー値以下である場合、該第１リソースが占有されていないことを決定し、該信号のエネルギー値が該プリセットのエネルギー値より大きい場合、該第１リソースが占有されたことを決定する。選択肢として、該プリセットのエネルギー値は実際の応用に応じて設定されてもよく、本願の実施例はこれらに限らない。
【手続補正１０】
【補正対象書類名】明細書
【補正対象項目名】００９６
【補正方法】変更
【補正の内容】
【００９６】
選択肢として、該決定ユニット３３０は具体的に、該第２プリセットの時間周波数リソースにベアリングされる信号のエネルギー値を決定することと、該信号のエネルギー値がプリセットのエネルギー値以下である場合、該第２プリセットの時間周波数リソースが占有されていないことを決定し、又は、該信号のエネルギー値がプリセットのエネルギー値より大きい場合、該第２プリセットの時間周波数リソースが占有されたことを決定することと、に用いられる。
【手続補正１１】
【補正対象書類名】明細書
【補正対象項目名】０１２５
【補正方法】変更
【補正の内容】
【０１２５】
選択肢として、一実施例として、該プロセッサ５１０は、該第２プリセットの時間周波数リソースにベアリングされる信号のエネルギー値を決定することと、該信号のエネルギー値がプリセットのエネルギー値以下である場合、該第２プリセットの時間周波数リソースが占有されていないことを決定し、又は、該信号のエネルギー値がプリセットのエネルギー値より大きい場合、該第２プリセットの時間周波数リソースが占有されたことを決定することと、に用いられる。
【手続補正１２】
【補正対象書類名】特許請求の範囲
【補正対象項目名】全文
【補正方法】変更
【補正の内容】
【特許請求の範囲】
【請求項１】
ランダムアクセスプリアンブルの伝送方法であって、
前記ランダムアクセスプリアンブルのｉ回目の伝送を実行し、ｉが１より大きな正の整数であることと、
前記ランダムアクセスプリアンブルのｉ回目の伝送とｉ−１回目の伝送が同じビームを用いる場合、前記ランダムアクセスプリアンブルの電力ランピングカウンタの値に１を加えることと、を含むことを特徴とするランダムアクセスプリアンブルの伝送方法。
【請求項２】
前記ランダムアクセスプリアンブルの電力ランピングカウンタの値に１を加える前に、前記方法は更に、
前記電力ランピングカウンタを一時停止する必要がないことを決定することを含むことを特徴とする請求項１に記載の方法。
【請求項３】
前記ランダムアクセスプリアンブルのｉ回目の伝送とｉ−１回目の伝送が同じ同期信号ブロックを用いる場合、前記ランダムアクセスプリアンブルのｉ回目の伝送とｉ−１回目の伝送との用いるビームが同じであることを決定することを更に含むことを特徴とする請求項１又は２に記載の方法。
【請求項４】
前記ランダムアクセスプリアンブルのｉ回目の伝送を実行する前に、前記方法は更に、
少なくとも１つのプリセットの時間周波数リソースから第１プリセットの時間周波数リソースを決定し、前記第１プリセットの時間周波数リソースが前記ランダムアクセスプリアンブルのｉ回目の伝送に使用されることを含むことを特徴とする請求項１〜３のいずれか１項に記載の方法。
【請求項５】
少なくとも１つのプリセットの時間周波数リソースから第１プリセットの時間周波数リソースを決定することは、
前記少なくとも１つのプリセットの時間周波数リソースのうちの第２プリセットの時間周波数リソースが占有されたかどうかを決定することと、
前記第２プリセットの時間周波数リソースが占有されていない場合、前記第２プリセットの時間周波数リソースを前記第１プリセットの時間周波数リソースとして決定し、又は、
前記第２プリセットの時間周波数リソースが占有された場合、前記少なくとも１つのプリセットの時間周波数リソースのうちの前記第２プリセットの時間周波数リソース以外の他のプリセットの時間周波数リソースが占有されたかどうかを決定することと、を含むことを特徴とする請求項４に記載の方法。
【請求項６】
前記少なくとも１つのプリセットの時間周波数リソースのうちの第２プリセットの時間周波数リソースが占有されたかどうかを決定することは、
前記第２プリセットの時間周波数リソースにベアリングされる信号のエネルギー値を決定することと、
前記信号のエネルギー値がプリセットのエネルギー値以下である場合、前記第２プリセットの時間周波数リソースが占有されていないことを決定し、又は、
前記信号のエネルギー値がプリセットのエネルギー値より大きい場合、前記第２プリセットの時間周波数リソースが占有されたことを決定することと、を含むことを特徴とする請求項４又は５に記載の方法。
【請求項７】
前記ランダムアクセスプリアンブルのｉ回目の伝送後の前記電力ランピングカウンタの値は、前記ランダムアクセスプリアンブルのｉ＋１回目の送信電力を決定することに用いられることを特徴とする請求項１〜６のいずれか１項に記載の方法。
【請求項８】
端末装置であって、
ランダムアクセスプリアンブルのｉ回目の伝送を実行することに用いられ、ｉが１より大きな正の整数である送受信ユニットと、
前記ランダムアクセスプリアンブルのｉ回目の伝送とｉ−１回目の伝送が同じビームを用いる場合、前記ランダムアクセスプリアンブルの電力ランピングカウンタの値に１を加えることに用いられる処理ユニットと、を備えることを特徴とする端末装置。
【請求項９】
前記処理ユニットは具体的に、
前記送受信ユニットが前記ランダムアクセスプリアンブルのｉ回目の伝送を実行した後、前記ランダムアクセスプリアンブルのｉ回目の伝送に失敗したことを決定する場合、前記ランダムアクセスプリアンブルの伝送回数カウンタの値に１を加えることに用いられ、前記伝送回数カウンタは前記ランダムアクセスプリアンブルの伝送回数を記録することに用いられることを特徴とする請求項８に記載の端末装置。
【請求項１０】
前記送受信ユニットは具体的に、
前記処理ユニットが前記ランダムアクセスプリアンブルの伝送回数カウンタの値に１を加えた後、前記伝送回数カウンタの値が前記ランダムアクセスプリアンブルの伝送回数最大値以下である場合、前記ランダムアクセスプリアンブルのｉ＋１回目の伝送を実行すること、又は、
前記伝送回数カウンタの値が前記伝送回数最大値より大きい場合、ランダムアクセス過程に失敗したことを決定することに用いられることを特徴とする請求項９に記載の端末装置。
【請求項１１】
前記端末装置は更に、
前記決定ユニットがランダムアクセス過程に失敗したことを決定した後、前記ランダムアクセスプリアンブルの受信セルがプライマリセルであることを決定することに用いられる決定ユニットを備え、
前記送受信ユニットは具体的に、
前記プライマリセルに対応するネットワーク装置に無線リソース制御（ＲＲＣ）シグナリングを送信することに用いられ、前記ＲＲＣシグナリングは無線リンク障害を示すことに用いられることを特徴とする請求項１０に記載の端末装置。
【請求項１２】
前記端末装置は更に、
前記ランダムアクセスプリアンブルを伝送するための伝送リソースがライセンス周波数帯又はアンライセンス周波数帯に属することを決定することに用いられる決定ユニットを備え、
前記処理ユニットは具体的に、
前記伝送リソースがライセンス周波数帯に属する場合、前記ランダムアクセスプリアンブルの伝送回数最大値を第１値として設定すること、又は
前記伝送リソースがアンライセンス周波数帯に属する場合、前記伝送回数最大値を第２値として設定し、前記第１値と前記第２値が異なることに用いられることを特徴とする請求項９〜１１のいずれか１項に記載の端末装置。
【請求項１３】
前記第１値が前記第２値より小さいことを特徴とする請求項１２に記載の端末装置。
【請求項１４】
前記送受信ユニットは具体的に、
ネットワーク装置から送信された、前記第１値及び／又は第２値を含む構成情報を受信することに用いられることを特徴とする請求項１２又は１３に記載の端末装置。
【請求項１５】
端末装置であって、
ランダムアクセスプリアンブルを伝送するための伝送リソースがライセンス周波数帯又はアンライセンス周波数帯に属することを決定することに用いられる決定ユニットと、
前記伝送リソースがライセンス周波数帯に属する場合、前記ランダムアクセスプリアンブルの伝送回数最大値を第１値として設定すること、又は、
前記伝送リソースがアンライセンス周波数帯に属する場合、前記伝送回数最大値を第２値として設定し、前記第１値と前記第２値が異なることに用いられる処理ユニットと、を備えることを特徴とする端末装置。
【国際調査報告】
2021514557.tif 000009
2021514557.tif 000010
2021514557.tif 000011
2021514557.tif 000012